(57)【要約】【課題】  データ線を駆動する集積回路の個数およびデータ線の本数を減らすことができる表示装置を提供する。【解決手段】  有機発光表示装置において，第１小画素と第２小画素が一つのデータ線と選択走査線および駆動素子を共用し，一つのフレーム期間は，第１副フィールドと第２副フィールドに分割されて駆動される。第１小画素の有機発光素子は，第１発光走査線を通って伝達される第１発光信号に応答して発光し，第２小画素の有機発光素子は，第２発光走査線を通って伝達される第２発光信号に応答して発光する。選択走査線に伝達される選択信号は，第１副フィールドおよび第２副フィールドで各々低レベルパルスを有する。第１発光走査線は，第１副フィールドで低レベルパルスを有し，第２発光走査線は，第２副フィールドで低レベルパルスを有する。そして，選択走査線，第１発光走査線および第２発光走査線を駆動するための走査駆動部が提供される。【選択図】    図２
2005338837.tif 000002
【特許請求の範囲】
【請求項１】
画像を示すデータ信号を伝達する複数のデータ線と，選択信号を伝達する複数の第１走査線と，発光信号を伝達する複数の第２および第３走査線と，前記データ線と前記第１走査線とにより各々定義される複数の大画素領域を含む表示領域と；
一つのフレーム期間を形成する複数の副フィールドにおいて，各々第１パルスを有する第１信号をシフトしながら前記複数の第１走査線に順次に伝達し，前記複数の副フィールドのうち，第１副フィールドにおいて第２パルスを有する第２信号をシフトしながら前記複数の第２走査線に順次に伝達し，前記複数の副フィールドのうち，第２副フィールドにおいて第３パルスを有する第３信号をシフトしながら前記複数の第３走査線に順次に伝達する走査駆動部と；
を含み，
前記大画素領域は，前記データ線と前記第１走査線とを共用する第１および第２小画素を含み，前記第１副フィールドにおいて前記第１小画素が前記第２パルスにより発光し，前記第２副フィールドにおいて前記第２小画素が前記第３パルスにより発光することを特徴とする，表示装置。
【請求項２】
前記第１副フィールドにおいて，前記第１パルスが印加される間に前記データ線には前記第１小画素に対応するデータ信号が伝達され，
前記第２副フィールドにおいて，前記第１パルスが印加される間に前記データ線には前記第２小画素に対応するデータ信号が伝達されることを特徴とする，請求項１に記載の表示装置。
【請求項３】
前記走査駆動部は，前記第１信号を第１期間だけシフトしながら，複数の前記第１走査線に順次に伝達する第１駆動部を含むことを特徴とする，請求項１に記載の表示装置。
【請求項４】
前記第１駆動部は，
一つのフレーム期間において，前記第１期間より長い第２期間の間に，第４パルスと前記第４パルスに対して反転された第５パルスとを有する第４信号を，前記第１期間だけシフトしながら順次に出力する第２駆動部と，
前記第１期間だけシフトされた二つの前記第４信号が，それぞれ前記第４パルスである期間のうち，少なくとも一部期間で前記第１パルスに対応するパルスを生成する第３駆動部と，
を含むことを特徴とする，請求項３に記載の表示装置。
【請求項５】
前記第２駆動部は，前段フリップフロップ出力が後段フリップフロップの入力となる複数のフリップフロップを含み，
前記後段のフリップフロップは，前記前段のフリップフロップから出力される前記第４信号の前記第４パルスを，前記第１期間だけシフトして前記第３駆動部に出力することを特徴とする，請求項４に記載の表示装置。
【請求項６】
前記走査駆動部は，前記第２信号を前記第２走査線に伝達する第２駆動部および前記第３信号を，前記第３走査線に伝達する第３駆動部をさらに含むことを特徴とする，請求項３に記載の表示装置。
【請求項７】
前記第１小画素の前記第２走査線に前記第２信号の第２パルスが印加される期間は，前記第１小画素の前記第１走査線に前記第１信号の第１パルスが印加される期間を含み，
前記第２小画素の前記第３走査線に前記第３信号の第３パルスが印加される期間は，前記第２小画素の前記第１走査線に前記第１信号の第１パルスが印加される期間を含むことを特徴とする，請求項６に記載の表示装置。
【請求項８】
前記第２および第３駆動部は，各々前段フリップフロップの出力が，後段フリップフロップの入力となる複数のフリップフロップを含み，
前記第２駆動部において，前記後段のフリップフロップは，前記前段のフリップフロップから出力される前記第２信号の前記第２パルスに対応するパルスを，前記第１期間だけシフトして出力し，
前記第３駆動部において，前記後段のフリップフロップは，前記前段のフリップフロップから出力される前記第３信号の前記第３パルスに対応するパルスを，前記第１期間だけシフトして出力することを特徴とする，請求項７に記載の表示装置。
【請求項９】
前記第２駆動部は，前記第１小画素の前記第１走査線に印加される前記第１信号の第１パルスの終了以後に，前記第１小画素の前記第２走査線に前記第２信号の第２パルスを印加して，
前記第３駆動部は，前記第２小画素の前記第１走査線に印加される前記第１信号の第１パルスの終了以後に，前記第２小画素の前記第３走査線に前記第３信号の第３パルスを印加することを特徴とする，請求項６に記載の表示装置。
【請求項１０】
前記第２駆動部は，
一つのフレーム期間において，第４パルスと前記第４パルスに対して反転された第５パルスを有する第４信号を，前記第１期間だけシフトしながら順次に出力する第４駆動部と，
前記第１期間だけシフトされた二つの前記第４信号が，それぞれ前記第４パルスである期間で前記第２パルスに対応するパルスを生成する第５駆動部を含むことを特徴とする，請求項９に記載の表示装置。
【請求項１１】
前記走査駆動部は，
前記第２信号の第２パルスをシフトしながら前記複数の第２走査線に順次に伝達し，
前記第３信号の第３パルスをシフトしながら前記複数の第３走査線に順次に伝達する第２駆動部をさらに含むことを特徴とする，請求項３に記載の表示装置。
【請求項１２】
前記第１小画素の前記第２走査線に前記第２信号の第２パルスが印加される期間は，前記第１小画素の前記第１走査線に前記第１信号の第１パルスが印加される期間を含み，
前記第２小画素の前記第３走査線に前記第３信号の第３パルスが印加される期間は，前記第２小画素の前記第１走査線に前記第１信号の第１パルスが印加される期間を含むことを特徴とする，請求項１１に記載の表示装置。
【請求項１３】
前記第２駆動部は，前記第２信号を反転して前記第３信号を生成することを特徴とする，請求項１２に記載の表示装置。
【請求項１４】
前記第２駆動部は，
前記第１小画素の前記第１走査線に印加される前記第１信号の第１パルスの終了以後に，前記第１小画素の前記第２走査線に前記第２信号の第２パルスを印加して，
前記第２小画素の前記第１走査線に印加される前記第１信号の第１パルスの終了以後に，前記第２小画素の前記第３走査線に前記第３信号の第３パルスを印加することを特徴とする，請求項１１に記載の表示装置。
【請求項１５】
前記第２駆動部は，
一つのフレーム期間において，第４パルスと前記第４パルスに対して反転した第５パルスを有する第４信号を，前記第１期間だけシフトしながら順次に出力する第３駆動部と，
前記第１期間の整数倍だけシフトされた二つの前記第４信号が，それぞれ前記第４パルスである期間で，前記第２信号の前記第２パルスに対応するパルスを生成する第４駆動部を含むことを特徴とする，請求項１４に記載の表示装置。
【請求項１６】
前記第２駆動部は，前記第１期間の整数倍だけシフトされた二つの前記第４信号が，それぞれ前記第５パルスである期間で，前記第３信号の前記第３パルスに対応するパルスを生成する第５駆動部をさらに含むことを特徴とする，請求項１５に記載の表示装置。
【請求項１７】
前記第４駆動部は，前記第４信号が反転された第５信号をさらに出力し，
前記第２駆動部は，前記第１期間の整数倍だけシフトされた前記第５信号が，それぞれ前記第４パルスと同一のレベルの第５パルスを有する期間で，前記第３信号の前記第３パルスに対応するパルスを生成する第５駆動部をさらに含むことを特徴とする，請求項１５に記載の表示装置。
【請求項１８】
前記走査駆動部は，
一つのフレーム期間において，第４パルスと前記第４パルスに対して反転された第５パルスを有する第４信号を，第１期間だけシフトしながら順次に出力する第１駆動部と，
前記第１期間だけシフトされた二つの前記第４信号が，前記第１期間だけシフトされた信号が互いに異なるレベルである期間のうちの少なくとも一部期間で，前記第１信号の前記第１パルスに対応するパルスを生成する第２駆動部を含むことを特徴とする，請求項３に記載の表示装置。
【請求項１９】
前記走査駆動部は，
前記第４信号の前記第４パルスに応答して，前記第２信号の第２パルスに対応するパルスを生成し，
前記第４信号の第５パルスに応答して，前記第３信号の第３パルスに対応するパルスを生成することを特徴とする，請求項１８に記載の表示装置。
【請求項２０】
前記第１小画素の前記第２走査線に前記第２信号の第２パルスが印加される期間は，前記第１小画素の前記第１走査線に前記第１信号の第１パルスが印加される期間を含み，
前記第２小画素の前記第３走査線に前記第３信号の第３パルスを印加される期間は，前記第２小画素の前記第１走査線に前記第１信号の第１パルスが印加される期間を含むことを特徴とする，請求項１９に記載の表示装置。
【請求項２１】
前記走査駆動部は，
前記第１期間の整数倍だけシフトされた二つの前記第４信号が，それぞれ前記第４パルスである期間で，前記第２信号の第２パルスに対応するパルスを生成する第３駆動部と，
前記第１期間の整数倍だけシフトされた二つの前記第４信号が，それぞれ前記第５パルスである期間で，前記第３信号の第３パルスに対応するパルスを生成する第４駆動部とをさらに含むことを特徴とする，請求項１８に記載の表示装置。
【請求項２２】
前記走査駆動部は，
前記第１期間だけシフトされた二つの前記第４信号が，それぞれ前記第４パルスである期間で第６パルスを有する第５信号を生成する第３駆動部と，
前記第１期間だけシフトされた二つの前記第４信号が，それぞれ前記第５パルスである期間で第７パルスを有する第６信号を生成する第４駆動部と，
前記第１期間の整数倍だけシフトされた二つの前記第５信号が，それぞれ前記第６パルスである期間の間に，前記第２信号の第２パルスに対応するパルスを生成する第５駆動部と，
前記第１期間の整数倍だけシフトされた二つの前記第６信号が，それぞれ前記第７パルスである期間の間に，前記第３信号の第３パルスに対応されるパルスを生成する第６駆動部と，
をさらに含むことを特徴とする，請求項１８に記載の表示装置。
【請求項２３】
前記走査駆動部は，
一つの副フィールドにおいて，第４パルスと前記第４パルスに対して反転された第５パルスを有する第４信号を，第１期間だけシフトしながら順次に出力する第１駆動部と，
前記第１期間だけシフトされた二つの第４信号が，それぞれ前記第４パルスである期間で，前記第２信号の前記第２パルスに対応するパルスを生成する第２駆動部と，
前記第１期間だけシフトされた二つの第４信号が，それぞれ前記第５パルスである期間で，前記第３信号の前記第３パルスに対応されるパルスを生成する第３駆動部と，
前記第２信号が前記第２パルスに対して反転されたパルスを有する期間と前記第３信号が前記第３パルスに対して反転されたパルスを有する期間との共通期間のうち，少なくとも一部期間の間に，前記第１信号の第１パルスに対応するパルスを生成する第４駆動部と，
を含むことを特徴とする，請求項３に記載の表示装置。
【請求項２４】
前記走査駆動部は，
一つのフレーム期間において，第４パルスと前記第４パルスに対して反転された第５パルスを有する第４信号を，第１期間だけシフトしながら順次に出力する第１駆動部と，
前記第１期間の第１整数倍だけシフトされた二つの前記第４信号が，それぞれ前記第４パルスである期間で第６パルスを有する第５信号を出力する第２駆動部と，
前記第１期間の第１整数倍だけシフトされた二つの前記第４信号が，それぞれ前記第５パルスである期間で第７パルスを有する第６信号を出力する第３駆動部と，
前記第１期間の第２整数倍だけシフトされた二つの前記第５信号が，それぞれ前記第６パルスである期間の間に，前記第２信号の前記第２パルスに対応するパルスを生成する第４駆動部と，
前記第１期間の第２整数倍だけシフトされた二つの前記第６信号が，それぞれ前記第７パルスである期間の間に，前記第３信号の前記第３パルスに対応するパルスを生成する第５駆動部と，
を含むことを特徴とする，請求項３に記載の表示装置。
【請求項２５】
前記走査駆動部は，前記第５信号が第８パルスである期間と前記第６信号が第９パルスである期間との共通期間のうち，少なくとも一部期間で前記第１信号の第１パルスに対応するパルスを生成する第６駆動部をさらに含むことを特徴とする，請求項２４に記載の表示装置。
【請求項２６】
第１信号を伝達する複数の第１走査線と，第２信号を伝達する複数の第２走査線と，第３信号を伝達する複数の第３走査線とを含む表示装置において：
前記第１信号は，一つのフレーム期間を形成する複数の副フィールドにおいて，各々第１期間の間に第１パルスを有し，
前記第２信号は，前記複数の副フィールドのうち，第１副フィールドにおいて前記第１期間より長い第２期間の間に第２パルスを有し，
前記第３信号は，前記複数の副フィールドのうち，第２副フィールドにおいて前記第１期間より長い第３期間の間に第３パルスを有し，
前記表示装置は，
前記第１信号を第４期間だけシフトしながら順次前記複数の第１走査線に出力する第１駆動部と，
前記第２信号を前記第４期間だけシフトしながら順次前記複数の第２走査線に出力する第２駆動部と，
前記第３信号を前記第４期間だけシフトしながら順次前記複数の第３走査線に出力する第３駆動部と，
を含むことを特徴とする表示装置。
【請求項２７】
前記第１駆動部は，
前記複数の副フィールドにおいて，各々第４パルスを有する第４信号を前記第４期間だけシフトしながら順次出力する第４駆動部と，
前記第４期間だけシフトされた二つの前記第４信号が，それぞれ前記第４パルスである期間のうち，少なくとも一部期間の間に前記第１パルスに対応するパルスを生成する第５駆動部と，
を含むことを特徴とする，請求項２６に記載の表示装置。
【請求項２８】
前記第２駆動部は，
一つのフレーム期間において，第４パルスと前記第４パルスに対して反転された第５パルスを有する第４信号を，前記第４期間だけシフトしながら順次に出力する第４駆動部と，
前記第４期間の整数倍だけシフトされた二つの前記第４信号が，それぞれ前記第４パルスである期間で前記第２パルスに対応するパルスを生成する第５駆動部と，
を含むことを特徴とする，請求項２６に記載の表示装置。
【請求項２９】
前記第２駆動部は，
一つのフレーム期間において，第４パルスと前記第４パルスに対して反転された第５パルスを有する第４信号を，前記第１期間だけシフトしながら順次に出力する第４駆動部と，
前記第１期間の整数倍だけシフトされた二つの前記第４信号のうち，少なくとも一つが前記第４パルスである期間で前記第２パルスに対応するパルスを生成する第５駆動部と，
を含むことを特徴とする，請求項２６に記載の表示装置。
【請求項３０】
画像を示すデータ信号を伝達する複数のデータ線と，前記データ線と前記第１走査線により各々定義される複数の大画素領域とをさらに含み，
前記大画素領域は，
前記第１信号の第１パルスに応答して，前記データ線からのデータ信号が記入される駆動素子と，
前記第２信号の第２パルスに応答して，前記駆動素子に記入されている前記データ信号に応じて発光する第１発光素子と，
前記第３信号の第３パルスに応答して，前記駆動素子に記入されている前記データ信号に応じて発光する第２発光素子と，
を含むことを特徴とする，請求項２６に記載の表示装置。
【請求項３１】
第１信号を伝達する複数の第１走査線と，第２信号を伝達する複数の第２走査線と，第３信号を伝達する複数の第３走査線とを含む表示装置において：
前記第１信号は，複数の副フィールドにおいて各々第１期間の間に第１パルスを有し，
前記第２信号は，前記複数の副フィールドのうち，第１副フィールドにおいて前記第１期間より長い第２期間の間に第２パルスを有し，
前記第３信号は，前記複数の副フィールドのうち，第２副フィールドにおいて前記第１期間より長い第３期間の間に第３パルスを有し，
前記表示装置は，
前記第１信号を第４期間だけシフトしながら，順次前記複数の第１走査線に出力する第１駆動部と，
第４信号から前記第２信号および前記第３信号を生成し，前記第２信号を前記第４期間だけシフトしながら，順次前記複数の第２走査線に出力し，前記第３信号を前記第４期間だけシフトしながら，順次前記複数の第３走査線に出力する第２駆動部と，
を含むことを特徴とする，表示装置。
【請求項３２】
前記第１駆動部は，
前記複数の副フィールドにおいて，各々第４パルスを有する第５信号を前記第４期間だけシフトしながら，順次出力する第３駆動部と，
前記第４期間だけシフトされた二つの前記第５信号が，それぞれ前記第４パルスである期間のうち，少なくとも一部期間で前記第１パルスに対応するパルスを生成する第４駆動部と，
を含むことを特徴とする，請求項３１に記載の表示装置。
【請求項３３】
前記第２駆動部は，前記第４信号を前記第２信号に出力し，前記第４信号を反転して前記第３信号に出力することを特徴とする，請求項３１に記載の表示装置。
【請求項３４】
前記第２駆動部は，
一つのフレーム期間において，第４パルスと前記第４パルスに対して反転された第５パルスを有する前記第４信号を，前記第４期間だけシフトしながら順次出力する第３駆動部と，
前記第４期間の整数倍だけシフトされた二つの前記第４信号が，それぞれ前記第４パルスである期間で，前記第２信号の前記第２パルスに対応するパルスを生成する第４駆動部と，
前記第４期間の整数倍だけシフトされた二つの前記第４信号が，それぞれ前記第５パルスである期間で，前記第３信号の前記第２パルスに対応するパルスを生成する第５駆動部と，
を含むことを特徴とする，請求項３１に記載の表示装置。
【請求項３５】
画像を示すデータ信号を伝達する複数のデータ線と，前記データ線と前記第１走査線とにより各々定義される複数の大画素領域とをさらに含み，
前記大画素領域は，
前記第１信号の前記第１パルスに応答して，前記データ線からのデータ信号が記入される駆動素子と，
前記第２信号の前記第２パルスに応答して，前記駆動素子に記入されている前記データ信号に応じて発光する第１発光素子と，
前記第３信号の前記第２パルスに応答して，前記駆動素子に記入されている前記データ信号に応じて発光する第２発光素子と，
を含むことを特徴とする，請求項３１に記載の表示装置。
【請求項３６】
第１信号，第２信号および第３信号を各々第１期間だけシフトしながら順次出力する走査駆動部を含む表示装置において：
前記走査駆動部は，
一つのフレーム期間において，第１パルスと前記第１パルスに対して反転された第２パルスを有する第４信号を，前記第１期間だけシフトしながら順次出力する第１駆動部と，
前記第４信号から，複数の副フィールドにおいて，各々第２期間の間に第３パルスを有する前記第１信号と，
前記複数の副フィールドのうち，第１副フィールドにおいて，前記第２期間より長い第３期間の間に第４パルスを有する前記第２信号と，
前記複数の副フィールドのうち，第２副フィールドにおいて，前記第２期間より長い第４期間の間に第５パルスを有する前記第３信号とを生成する第２駆動部と，
を含むことを特徴とする，表示装置。
【請求項３７】
前記第２駆動部は，前記第１期間だけシフトされた二つの前記第４信号が互いに異なるレベルである期間のうち，少なくとも一部期間で前記第１信号の前記第３パルスに対応するパルスを生成することを特徴とする，請求項３６に記載の表示装置。
【請求項３８】
前記第２駆動部は，前記第４信号を前記第２信号に出力し，前記第４信号を反転して前記第３信号に出力することを特徴とする，請求項３６に記載の表示装置。
【請求項３９】
前記第２駆動部は，
前記第１期間の整数倍だけシフトされた前記第４信号が，それぞれ前記第１パルスである期間で，前記第２信号の前記第４パルスに対応するパルスを生成する第３駆動部と，
前記第１期間の整数倍だけシフトされた前記第４信号が，それぞれ前記第２パルスである期間で，前記第３信号の前記第５パルスに対応するパルスを生成する第４駆動部と，
を含むことを特徴とする，請求項３６に記載の表示装置。
【請求項４０】
前記整数倍は１倍であり，
前記第２駆動部は，前記第２信号と前記第３信号が同一のレベルを有する期間のうち，少なくとも一部期間で，前記第１信号の前記第３パルスに対応するパルスを生成する第５駆動部をさらに含むことを特徴とする，請求項３９に記載の表示装置。
【請求項４１】
前記第２駆動部は，
前記第１期間の第１整数倍だけシフトされた二つの前記第４信号が，それぞれ前記第１パルスである期間で第６パルスを有する第５信号を生成し，前記第１期間の第１整数倍だけシフトされた二つの前記第４信号が，それぞれ前記第２パルスである期間で第７パルスを有する第６信号を生成する第３駆動部と，
前記第１期間の第２整数倍だけシフトされた二つの前記第５信号が，それぞれ前記第６パルスである期間で前記第２信号の前記第４パルスに対応するパルスを生成し，前記第１期間の第２整数倍だけシフトされた二つの前記第６信号が，それぞれ前記第７パルスである期間で前記第３信号の前記第５パルスに対応するパルスを生成する第４駆動部と，
を含むことを特徴とする，請求項３６に記載の表示装置。
【請求項４２】
前記第２駆動部は，前記第５信号と前記第６信号が同一のレベルである期間のうち，少なくとも一部期間で，前記第１信号の前記第３パルスに対応するパルスを生成する第５駆動部をさらに含むことを特徴とする，請求項４１に記載の表示装置。
【請求項４３】
画像を示すデータ信号を伝達する複数のデータ線と，前記データ線と前記第１走査線とにより各々定義される複数の大画素領域とをさらに含み，
前記大画素領域は，
前記第１信号の第３パルスに応答して，前記データ線からのデータ信号が記入される駆動素子と，
前記第２信号の第４パルスに応答して，前記駆動素子に記入されている前記データ信号に応じて発光する第１発光素子と，
前記第３信号の第５パルスに応答して，前記駆動素子に記入されている前記データ信号に応じて発光する第２発光素子と，
を含むことを特徴とする，請求項３６に記載の表示装置。
【請求項４４】
第１走査線，第２走査線，第３走査線および画像を示すデータ信号を伝達するデータ線により形成される大画素領域を含む表示装置を駆動する方法において：
複数の副フィールドにおいて，各々第１期間の間に第１パルスを有する選択信号を出力する段階と；
前記複数の副フィールドのうち，第１副フィールドにおいて前記第１期間より長い第２期間の間に第２パルスを有する第１発光信号を出力する段階と；
前記複数の副フィールドのうち，第２副フィールドにおいて前記第１期間より長い第３期間の間に第３パルスを有する第２発光信号を出力する段階と；
を含み，
前記第１走査線に伝達される前記第１パルスに対応するパルスに応答して，前記データ線からのデータ信号を記入する大画素領域において，
第１小画素は，前記第２走査線に伝達される，前記第２パルスに対応するパルスに応答して発光し，
第２小画素は，前記第３走査線に伝達される前記第３パルスに対応するパルスに応答して発光することを特徴とする，表示装置の駆動方法。
【請求項４５】
前記複数の副フィールドにおいて，
各々第４パルスを有する第１信号を第４期間だけシフトしながら順次出力する段階と；
前記第４期間だけシフトされた二つの前記第１信号が，それぞれ前記第４パルスである期間のうち，少なくとも一部期間で前記選択信号の前記第１パルスを生成する段階と；
をさらに含むことを特徴とする，請求項４４に記載の表示装置の駆動方法。
【請求項４６】
前記第１発光信号を反転して前記第２発光信号を生成することを特徴とする，請求項４４に記載の表示装置の駆動方法。
【請求項４７】
一つのフレーム期間において，第４パルスと前記第４パルスに対して反転された第５パルスを有する第１信号を，第４期間だけシフトしながら順次出力する段階と；
前記第４期間の整数倍だけシフトされた二つの前記第１信号が，それぞれ前記第４パルスである期間で前記第２パルスを生成する段階と；
をさらに含むことを特徴とする，請求項４４に記載の表示装置の駆動方法。
【請求項４８】
前記第４期間の整数倍だけシフトされた二つの前記第１信号が，それぞれ前記第５パルスである期間で前記第３パルスを生成する段階をさらに含むことを特徴とする，請求項４７に記載の表示装置の駆動方法。
【請求項４９】
前記第４期間だけシフトされた二つの前記第１信号が，互いに異なるパルスを有する期間のうち，少なくとも一部期間で前記第１パルスを生成する段階をさらに含むことを特徴とする，請求項４７に記載の表示装置の駆動方法。
【請求項５０】
前記整数倍は１倍であり，
前記第１発光信号が前記第２パルスに対して反転されたパルスを有する期間と，前記第２発光信号が前記第３パルスに対して反転されたパルスを有する期間との共通期間のうち，少なくとも一部期間で前記第１パルスを生成する段階をさらに含むことを特徴とする，請求項４７に記載の表示装置の駆動方法。
【請求項５１】
一つのフレーム期間において，第４パルスと前記第４パルスに対して反転された第５パルスを有する第１信号を，第４期間だけシフトしながら順次に出力する段階と；
前記第４期間の整数倍だけシフトされた二つの前記第１信号のうち，少なくとも一つが前記第４パルスである期間で，前記第２パルスを生成する段階と；
をさらに含むことを特徴とする，請求項４４に記載の表示装置の駆動方法。
【請求項５２】
一つのフレーム期間において，第４パルスと前記第４パルスに対して反転された第５パルスを交互に有する第１信号を，第４期間だけシフトしながら順次出力する段階と；
前記第４期間だけシフトされた二つの前記第１信号が，互いに異なるパルスを有する期間のうち，少なくとも一部期間で前記第１パルスを生成する段階と；
前記第４パルスに応答して前記第２パルスを生成し，前記第５パルスに応答して前記第３パルスを生成する段階と；
をさらに含むことを特徴とする，請求項４４に記載の表示装置の駆動方法。
【発明の詳細な説明】
【技術分野】
【０００１】
本発明は，表示装置およびその駆動方法に関し，特に，表示装置の走査駆動部に関する。
【背景技術】
【０００２】
液晶表示装置，有機発光表示装置などの能動駆動形表示装置の表示領域には，行方向に伸びる複数の選択走査線および列方向に伸びる複数のデータ線が形成されている。隣接する二つの選択走査線と隣接する二つのデータ線とにより画素領域が定義され，このような画素領域に，画素が行列形態で形成される。そして，一つの画素には，選択走査線から伝達される選択信号に応答して，データ線からのデータ信号を伝達する能動素子，つまり，トランジスタが形成されている。したがって，このような表示装置は，選択走査線を駆動するための走査駆動部およびデータ線を駆動するためのデータ駆動部が必要である。
【０００３】
また，このような表示装置では，一般に，赤色（以下，“Ｒ”と称する）光を発するＲ画素，緑色（以下，“Ｇ”と称する）光を発するＧ画素および青色（以下，“Ｂ”と称する）光を発するＢ画素の輝度を組み合わせることにより，多様な色相が表現される。したがって，表示装置には，一般に行方向にＲ，Ｇ，Ｂ画素が連続的に配置されており，これらＲ，Ｇ，Ｂ画素各々に別途のデータ線が連結されている。
【発明の開示】
【発明が解決しようとする課題】
【０００４】
データ駆動部は，デジタルデータ信号をアナログ信号に変換して全てのデータ線に印加しなければならないために，データ線の個数に相当する出力端子を有しなければならない。しかし，一般にデータ駆動部に使われる複数の集積回路において，一つの集積回路に形成できる出力端子の個数が制限されているので，全てのデータ線を駆動するためには多くの集積回路が必要になる。また，制限された表示領域内でＲ，Ｇ，Ｂ画素別にデータ線が各々形成され，このような画素を駆動するための駆動素子も各々形成される場合に，画素の開口率が減少するという問題がある。
【０００５】
そこで，本発明は，このような問題に鑑みてなされたもので，その目的は，データ線駆動用集積回路の個数を減少することができる，新規かつ改良された表示装置および表示装置の駆動方法を提供することにある。
【０００６】
また，本発明の他の目的は，データ線の本数を減らすことができる，新規かつ改良された表示装置および表示装置の駆動方法を提供することにある。
【課題を解決するための手段】
【０００７】
上記課題を解決するために，本発明のある観点によれば，二つの小画素に一つのデータ線と選択走査線を共用させる。
【０００８】
上記課題を解決するために，本発明のある観点によれば，表示領域と走査駆動部とを含む表示装置が提供される。表示領域において，複数のデータ線は，画像を示すデータ信号を伝達し，複数の第１走査線は選択信号を伝達し，複数の第２および第３走査線は発光信号を伝達し，データ線と第１走査線により各々複数の大画素領域が定義される。走査駆動部は，一つのフレーム期間を形成する複数の副フィールドにおいて，各々第１パルスを有する第１信号をシフトしながら複数の第１走査線に順次に伝達し，複数の副フィールドのうち，第１副フィールドにおいて第２パルスを有する第２信号をシフトしながら複数の第２走査線に順次に伝達し，複数の副フィールドのうち，第２副フィールドにおいて第３パルスを有する第３信号をシフトしながら複数の第３走査線に順次に伝達する。
【０００９】
本発明の別の観点によれば，第１信号を伝達する複数の第１走査線，第２信号を伝達する複数の第２走査線および第３信号を伝達する複数の第３走査線を含む表示装置が提供される。第１信号は，一つのフレーム期間を形成する複数の副フィールドにおいて，各々第１期間の間に第１パルスを有し，第２信号は，複数の副フィールドのうち，第１副フィールドにおいて第１期間より長い第２期間の間に第２パルスを有し，第３信号は，複数の副フィールドのうち，第２副フィールドにおいて第１期間より長い第３期間の間に第３パルスを有する。表示装置において，第１駆動部は，第１信号を第４期間だけシフトしながら順次に複数の第１走査線に出力し，第２駆動部は，第２信号を第４期間だけシフトしながら順次に複数の第２走査線に出力する。そして第３駆動部は，第３信号を第４期間だけシフトしながら順次に複数の第３走査線に出力する。
【００１０】
さらに，本発明の別の観点によれば，第１信号を伝達する複数の第１走査線，第２信号を伝達する複数の第２走査線および第３信号を伝達する複数の第３走査線を含む表示装置が提供される。第１信号は，複数の副フィールドにおいて各々第１期間の間に第１パルスを有し，第２信号は，複数の副フィールドのうち，第１副フィールドにおいて第１期間より長い第２期間の間に第２パルスを有し，第３信号は，複数の副フィールドのうち，第２副フィールドにおいて第１期間より長い第３期間の間に第３パルスを有する。表示装置において，第１駆動部は，第１信号を第４期間だけシフトしながら順次に複数の第１走査線に出力する。そして第２駆動部は，第４信号から第２信号および第３信号を生成し，第２信号を第４期間だけシフトしながら順次に複数の第２走査線に出力し，第３信号を第４期間だけシフトしながら順次に複数の第３走査線に出力する。
【００１１】
また，本発明の別の観点によれば，第１信号，第２信号および第３信号を各々第１期間だけシフトしながら順次に出力する走査駆動部を含む表示装置が提供される。走査駆動部において，第１駆動部は，一つのフレーム期間において第１パルスと第１パルスに対して反転された第２パルスを有する第４信号を第１期間だけシフトしながら順次に出力する。そして第２駆動部は，第４信号から，複数の副フィールドにおいて各々第２期間の間に第３パルスを有する第１信号，複数の副フィールドのうち，第１副フィールドにおいて第２期間より長い第３期間の間に第４パルスを有する第２信号および複数の副フィールドのうち，第２副フィールドにおいて第２期間より長い第４期間の間に第５パルスを有する第３信号を生成する。
【００１２】
さらに，本発明の別の観点によれば，第１走査線，第２走査線，第３走査線および画像を示すデータ信号を伝達するデータ線により形成される大画素領域を含む表示装置を駆動する方法が提供される。この駆動方法によれば，複数の副フィールドにおいて各々第１期間の間に第１パルスを有する選択信号が出力される。複数の副フィールドのうち，第１副フィールドにおいて第１期間より長い第２期間の間に第２パルスを有する第１発光信号が出力される。複数の副フィールドのうち，第２副フィールドにおいて第１期間より長い第３期間の間に第３パルスを有する第２発光信号が出力される。そして大画素領域には，第１走査線に伝達される第１パルスに対応するパルスに応答してデータ線からのデータ信号が記入される。大画素領域の第１小画素は，第２走査線に伝達される第２パルスに対応するパルスに応答して発光し，第２小画素は，第３走査線に伝達される第３パルスに対応するパルスに応答して発光する。
【発明の効果】
【００１３】
本発明によれば，二つの小画素が駆動素子とデータ線を共用することにより，データ線および駆動素子の個数を従来技術に比べて半減することができ，データ線を駆動するための集積回路個数を減少でき，さらに，大画素領域における素子配置を簡単化できる，表示装置および表示装置の駆動方法を提供することができる。
【発明を実施するための最良の形態】
【００１４】
以下に添付図面を参照しながら，本発明の好適な実施の形態について詳細に説明する。なお，本明細書および図面において，実質的に同一の機能構成を有する構成要素については，同一の符号を付することにより重複説明を省略する。また，ある部分が他の部分と連結されている場合，直接的に連結されている場合だけでなく，その中間に他の素子を間に置いて電気的に連結されている場合も含む。
【００１５】
（第１の実施形態）
まず，第１の実施形態にかかる表示装置およびその駆動方法について，図面を参照して詳細に説明する。ここでは，有機物質の発光を利用する有機発光表示装置を例に挙げて説明する。
【００１６】
図１は，本発明の第１の実施形態にかかる有機発光表示装置の概略的な平面図であり，１本のデータ線で左右２本の小画素列を駆動できる。ここで，小画素とは，発光素子を１個だけ含む画素構造を意味し，複数の発光素子を含む画素構造は，大画素と称する。
【００１７】
図１に示すように，本実施形態にかかる有機発光表示装置は，表示パネルを形成するための基板（図示せず）を含み，基板を分割して，表示装置の使用者に画面として提示するための表示領域１００と，その外側の周辺領域とに区画できる。周辺領域には，選択走査駆動部２００，発光走査駆動部前段３００，後段４００およびデータ駆動部５００が形成されている。
【００１８】
表示領域１００は，複数のデータ線Ｄ１〜Ｄｎ，複数の選択走査線Ｓ１〜Ｓｍ，複数の第１および第２発光走査線Ｅ１１〜Ｅ１ｍ，Ｅ２１〜Ｅ２ｍおよび複数の小画素を含む。複数のデータ線Ｄ１〜Ｄｎは，列方向に伸びて画像を示すデータ信号を大画素に伝達し，複数の選択走査線Ｓ１〜Ｓｍおよび両発光走査線Ｅ１１〜Ｅ１ｍ，Ｅ２１〜Ｅ２ｍは，行（横）方向に伸びて各々選択信号および発光信号を，大画素および小画素に伝達する。そして，隣接する二つの選択走査線と，各データ線の左右両側に配置される二つの小画素１１１，１１２とにより，大画素領域１１０が定義される。つまり，大画素領域１１０内部の二つの小画素１１１，１１２は，一つのデータ線と一つの選択信号線に共通に連結されている。
【００１９】
また，具体的な回路は，図２に示すように，全トランジスタをＰＭＯＳＦＥＴにしている。
【００２０】
図１はブロック図であって，各小画素に第１または第２発光走査線Ｅ１１〜Ｅ１ｍ，Ｅ２１〜Ｅ２ｍが連結され，それに対応して第１発光走査線Ｅ１１〜Ｅ１ｍを駆動する発光走査駆動部前段３００と第２発光走査線Ｅ２１〜Ｅ２ｍとを駆動する発光走査駆動部後段４００が形成されているものとして説明する。また，一つのフレーム期間が二つの副フィールドに分割されて駆動されており，両副フィールドの期間は，同一長さであると仮定して説明する。
【００２１】
ここで，「フレーム」とは，単に，このフレームの期間を分割して形成した期間名である副フィールドとの混同を避けるために命名したものであって，特別の機能的意味を持たず，他の呼称，例えば「フィールド」でもよいが，その性質は本実施形態の説明から，自自明であると考える。例えば，従来技術のＮＴＳＣカラーＴＶ信号を原信号とする場合，ＮＴＳＣフレームと本実施形態にかかるフレームとを一致させてもよいが，ＮＴＳＣの１／２Ｈインターレース型フィールドを本実施形態のフレームとして，ＮＴＳＣフィールド番号の偶奇に対応させて，発光水平線番号の偶奇選択を制御してもよい。さらに，分割生成された副フィールドの存在期間は，フレーム期間の整数分の一より短くてもよく，クロック周期の長短に対応する限り，差し支えはない。
【００２２】
本実施形態にかかる信号タイミングについて説明すると，図３に示すように，選択走査駆動部２００は，各副フィールド内で複数の選択走査線Ｓ１〜Ｓｍに選択信号を順次に印加して一巡させる。発光走査駆動部前段３００は，各第１副フィールド内で複数の発光走査線Ｅ１１〜Ｅ１ｍの信号を順次に立ち下げて（高レベルから低レベルに変化させ）発光信号を印加して，これを一巡させ，各第２副フィールド内で複数の発光走査線Ｅ１１〜Ｅ１ｍの信号を順次に立ち上げて（低レベルから高レベルに変化させ）発光信号を停止させ，これを一巡させる。発光走査駆動部後段４００の動作は，副フィールドが反転したようなもので，各第２副フィールド内で複数の発光走査線Ｅ２１〜Ｅ２ｍの信号を順次に立ち下げ発光信号を印加して，これを一巡させ，各第１副フィールド内で複数の発光走査線Ｅ２１〜Ｅ２ｍの信号を順次に立ち上げて発光信号を停止させ，これを一巡させる。データ駆動部５００は，各水平走査線のデータ信号を，選択走査線Ｓ１〜Ｓｍの選択信号および第１，第２発光走査線Ｅ１１〜Ｅ１ｍ，Ｅ２１〜Ｅ２ｍの信号と同期させながら，順次に対応するデータ線Ｄ１〜Ｄｎに印加して，データ線Ｄ１〜Ｄｎは，行方向に配列されている大画素領域１１０を各々通過し，大画素領域１１０でキャパシタにデータを蓄積した後，二つの小画素１１１，１１２に選択的に通電する。
【００２３】
選択および発光走査駆動部２００，３００，４００および／またはデータ駆動部５００は，絶縁基板上に集積回路形態で直接装着することもできる。また，他の実装法により，これら駆動部（２００，３００，４００および／または５００）を絶縁基板上で走査線Ｓ１〜Ｓｍ，Ｅ１１〜Ｅ１ｍ，Ｅ２１〜Ｅ２ｍ，データ線Ｄ１〜Ｄｎおよび大画素回路１１０のトランジスタを形成する層と同一材質の層とを用いて形成することもできる。さらに，これら駆動部（２００，３００，４００および／または５００）を絶縁基板と別途の基板に形成して，これら基板を絶縁基板に電気的に連結することもできる。また，絶縁基板に接着されて電気的に連結されたＴＣＰ，ＦＰＣまたはＴＡＢにチップなどの形態で装着することもできる。
【００２４】
以下，図２を参照して，第１の実施例にかかる有機発光表示装置の画素全般について，詳細に説明する。
【００２５】
（第１の実施例）
図２は，本実施例にかかる有機発光表示装置の大画素の概略的な回路図である。図２では，有機物質の発光を利用する小画素を例として示しており，説明の便宜上，ｉ番目行の走査線Ｓｉとｊ番目〜（ｊ＋２）番目列のデータ線Ｄｊ，Ｄｊ＋１，Ｄｊ＋２とに連結されて，各々形成される三つの大画素領域，つまり，六つの小画素を代表として示した（ここで，ｉは，１〜ｍの間の整数であり，ｊは１〜（ｎ−２）の間の整数である）。また，図２では，行方向にＲ，Ｇ，Ｂ順に小画素が配置されるとする。
【００２６】
図２に示すように，本実施例において行方向に隣接する二つの小画素は，一つのデータ線と駆動素子とを共用し，駆動素子は，駆動トランジスタＭ１，スイッチングトランジスタＭ２およびキャパシタＣｓｔを含む。選択走査線Ｓｉとデータ線Ｄｊとにより定義される大画素領域１１０ｉｊは，駆動素子と二つの小画素１１１ｉｊ，１１２ｉｊ，すなわち，二つのトランジスタＭ３１，Ｍ３２および二つの有機発光素子ＯＬＥＤ１，ＯＬＥＤ２を含む。二つの有機発光素子ＯＬＥＤ１，ＯＬＥＤ２は，各々ＲまたはＧ色相の光を発する。大画素領域１１０ｉ（ｊ＋１）の小画素１１１ｉ（ｊ＋１），１１２ｉ（ｊ＋１）も，小画素１１１ｉｊ，１１２ｉｊと同様の構造を有し，小画素１１１ｉ（ｊ＋１），１１２ｉ（ｊ＋１）の有機発光素子ＯＬＥＤ１，ＯＬＥＤ２は，各々ＢまたはＲ色相の光を発する。また，選択走査線Ｓｉとデータ線Ｄｊ＋２とにより形成される大画素領域１１０ｉ（ｊ＋２）の小画素１１１ｉ（ｊ＋２），１１２ｉ（ｊ＋２）も，小画素１１１ｉｊ，１１２ｉｊと同一の構造を有し，小画素１１１ｉ（ｊ＋２），１１２ｉ（ｊ＋２）の有機発光素子ＯＬＥＤ１，ＯＬＥＤ２は，各々ＧおよびＢ色相の光を発する。
【００２７】
大画素領域１１０ｉｊにおいて，トランジスタＭ１のソースが電源線ＶＤＤに連結され，トランジスタＭ１のゲート・ソース間にキャパシタＣｓｔが連結されている。トランジスタＭ２は，データ線ＤｊとトランジスタＭ１のゲートとの間に連結され，選択走査線Ｓｉからの低レベルの選択信号に応答して，データ線Ｄｊからのデータ電圧をトランジスタＭ１のゲートに伝達する。その結果，トランジスタＭ１のソース・ゲート間には，電源電圧ＶＤＤとデータ電圧との差に相当する電圧ＶＳＧが印加され，また，この電圧ＶＳＧがキャパシタＣｓｔに充電され，選択走査線Ｓｉからの選択信号がなくなっても残存している。
【００２８】
トランジスタＭ１のドレーンと有機発光素子ＯＬＥＤ１，ＯＬＥＤ２のアノードとの間には，各々トランジスタＭ３１，Ｍ３２が挿入されており，有機発光素子ＯＬＥＤ１，ＯＬＥＤ２のカソードには，低電位の電源線ＶＳＳが連結されている。電源電圧ＶＳＳは電源電圧ＶＤＤより低電位で，一般に負電圧または接地電圧などが使用される。そして，有機発光素子ＯＬＥＤ１に連結されるトランジスタＭ３１のゲートには，ｉ番目発光走査線Ｅ１ｉが連結され，有機発光素子ＯＬＥＤ２に連結されるトランジスタＭ３２のゲートには，ｉ番目発光走査線Ｅ２ｉが連結される。一つのフレーム期間を分割した二つの副フィールドでは，二つの発光走査線Ｅ１ｉ，Ｅ２ｉに，各々低レベルの発光信号が排他的に印加される。発光走査線Ｅ１ｉに低レベルの発光信号が印加されると，トランジスタＭ３１が導通し，トランジスタＭ１から有機発光素子ＯＬＥＤ１に，数式１のような電流ＩＯＬＥＤが供給されて，有機発光素子ＯＬＥＤ１が電流値ＩＯＬＥＤに対応する輝度で発光する。発光走査線Ｅ２ｉに低レベルの発光信号が印加されると，トランジスタＭ３２が導通して有機発光素子ＯＬＥＤ２が発光する。つまり，一つのフレーム期間の二つの副フィールドで，有機発光素子ＯＬＥＤ１，ＯＬＥＤ２が各々１回ずつ発光して所望の色相が表現される。
【００２９】
【数１】
2005338837.tif 000003
【００３０】
ここで，βは定数であり，ＶＳＧはトランジスタＭ１のソース−ゲート電圧であり，ＶＴＨはトランジスタＭ１のしきい電圧である。
【００３１】
次に，図３を参照して，本実施例にかかる有機発光表示装置の駆動方法について，詳細に説明する。
【００３２】
図３は，本実施例にかかる有機発光表示装置の信号タイミング図である。図３において，選択走査線Ｓｉに各々印加される選択信号をｓｅｌｅｃｔ［ｉ］で示し，発光走査線Ｅ１ｉ，Ｅ２ｉに印加される発光信号を各々ｅｍｉｔ１［ｉ］およびｅｍｉｔ２［ｉ］で示した（ここで，ｉは１〜ｍまでの整数）。そして，データ線Ｄ１〜Ｄｎには同時にデータ電圧が印加されるので，図３ではｊ番目データ線Ｄｊに印加されるデータ電圧のみｄａｔａ［ｊ］で示した。
【００３３】
図３に示すように，本実施例にかかる有機発光表示装置は，一つのフレーム期間が二つの副フィールド１Ｆ，２Ｆに分割されて駆動され，各副フィールド１Ｆ，２Ｆにおいて選択走査線Ｓ１〜Ｓｍに低レベルの選択信号Ｓｅｌｅｃｔ［１］〜ｓｅｌｅｃｔ［ｍ］が順次に印加される。駆動素子を共用する二つの小画素の二つの有機発光素子ＯＬＥＤ１，ＯＬＥＤ２は，各々一つの副フィールドに相当する期間にのみ発光する。そして，副フィールド１Ｆ，２Ｆは，行別に独立的に定義され，図３では，第１行の選択走査線Ｓ１を基準にした二つの副フィールド１Ｆ，２Ｆを示した。
【００３４】
第１副フィールド１Ｆで第１行選択走査線Ｓ１の選択信号が低レベルパルスになり，第１行の各大画素領域の有機発光素子ＯＬＥＤ１に対応するデータ電圧Ｄａｔａ［ｊ］がデータ線Ｄｊに伝達される。そして，発光走査線Ｅ１１の発光信号ｅｍｉｔ１［１］が低レベルパルスになってトランジスタＭ３１が導通する。その結果，第１行の大画素領域でデータ電圧Ｄａｔａ［ｊ］に対応する電流がトランジスタＭ３１を通って，トランジスタＭ１から有機発光素子ＯＬＥＤ１に伝達されて発光が行われる。ここで，発光は，発光信号ｅｍｉｔ１［１］が低レベルパルスである間に行われ，図３で発光信号ｅｍｉｔ１［１］の低レベルパルスの幅は，第１副フィールド１Ｆの期間と同一である。
【００３５】
このように，第１〜ｍ番目行の選択走査線Ｓ１〜Ｓｍに低レベルパルスを有する選択信号Ｓｅｌｅｃｔ［１］〜ｓｅｌｅｃｔ［ｍ］が順次に印加される。そして，ｉ番目行の選択走査線Ｓｉの選択信号Ｓｅｌｅｃｔ［ｉ］が低レベルパルスである間に，各大画素領域の有機発光素子ＯＬＥＤ１に対応するデータ電圧Ｄａｔａ［ｊ］がデータ線Ｄｊに印加される。そして，選択走査線Ｓｉの選択信号Ｓｅｌｅｃｔ［ｉ］が低レベルパルスになるとき，ｉ番目行の二つの発光走査線Ｅ１ｉ，Ｅ２ｉのうち，発光走査線Ｅ１ｉの発光信号ｅｍｉｔ１［ｉ］が低レベルパルスになり，発光信号ｅｍｉｔ１［ｉ］の低レベルパルスの幅は，第１副フィールド１Ｆと同一の期間である。その結果，各行では，選択走査線Ｓｉの選択信号Ｓｅｌｅｃｔ［ｉ］が低レベルパルスになった後，第１副フィールド１Ｆに相当する期間に有機発光素子ＯＬＥＤ１が発光する。つまり，行方向に隣接した二つの画素で有機発光素子ＯＬＥＤ１が形成された画素のみ発光する。
【００３６】
第２副フィールド２Ｆで第１行選択走査線Ｓ１の選択信号Ｓｅｌｅｃｔ［１］が低レベルパルスになり，第１行の各大画素領域の有機発光素子ＯＬＥＤ２に対応するデータ電圧Ｄａｔａ［ｊ］がデータ線Ｄｊに印加される。そして，発光走査線Ｅ２１の発光信号ｅｍｉｔ２［１］が低レベルパルスになってトランジスタＭ３２が導通する。その結果，第１行大画素領域の有機発光素子ＯＬＥＤ２が発光信号ｅｍｉｔ２［１］の低レベルパルス期間の間に発光し，図３で，発光信号ｅｍｉｔ２［１］の低レベルパルスの幅は，第２副フィールド２Ｆの期間と同一である。
【００３７】
このように，第２副フィールド２Ｆでも第１〜ｍ番目行の選択走査線Ｓ１〜Ｓｍの選択信号Ｓｅｌｅｃｔ［１］〜ｓｅｌｅｃｔ［ｍ］が順次に低レベルパルスになる。ｉ番目行の選択走査線Ｓｉの選択信号Ｓｅｌｅｃｔ［ｉ］が低レベルパルスである間に，各大画素領域の有機発光素子ＯＬＥＤ２に対応するデータ電圧Ｄａｔａ［ｊ］がデータ線Ｄｊに印加される。そして，選択走査線Ｓｉの選択信号Ｓｅｌｅｃｔ［ｉ］が低レベルパルスになるとき，ｉ番目行の二つの発光走査線Ｅ１ｉ，Ｅ２ｉのうち，発光走査線Ｅ２ｉの発光信号ｅｍｉｔ２［ｉ］が低レベルパルスになり，発光信号ｅｍｉｔ２［ｉ］の低レベルパルス幅は，第２副フィールド２Ｆの期間と同一である。その結果，各行では，選択走査線Ｓｉの選択信号Ｓｅｌｅｃｔ［ｉ］が低レベルパルスになった後，第２副フィールド２Ｆに相当する期間の間に有機発光素子ＯＬＥＤ２が発光する。つまり，行方向に隣接した二つの画素で有機発光素子ＯＬＥＤ２が形成された画素のみ発光する。
【００３８】
このように，本実施例にかかる有機発光表示装置は，一つのフレーム期間が二つの副フィールドに分割されて駆動され，一つの副フィールドで各大画素領域の二つの小画素のうち，一つの小画素の有機発光素子のみ発光する。そして，他の副フィールドで二つの小画素のうち，残りの小画素の有機発光素子が発光して一つのフレーム期間で全ての小画素の有機発光素子が発光することがあり，これにより全ての色相を表現することができる。また，本実施例では，二つの小画素が駆動素子とデータ線Ｄｊを共用することにより，データ線Ｄｊと駆動素子との個数を，従来技術に比べて半減させることができる。したがって，データ線Ｄｊを駆動するための集積回路の個数を減らすことができ，また，大画素領域で素子などの配置を簡単にすることができる。
【００３９】
次に，図３の駆動波形を生成する選択走査駆動部２００および発光走査駆動部３００，４００について，図４〜図６を参照して詳細に説明する。
【００４０】
ここで，図４Ａは，本実施例にかかる有機発光表示装置の選択走査駆動部を示す図面である。また，図４Ｂは，図４Ａの選択走査駆動部に使用されるフリップフロップの概略的な図面である。さらに，図５は，図４Ａの選択走査駆動部の信号タイミング図である。なお，図４Ａおよび図４ＢでクロックＶＣＬＫの反転された信号は，ＶＣＬＫｂで示している。また，図５の駆動波形においては，ＶＣＬＫｂの図示は省略した。そして，クロックＶＣＬＫでは，高レベルおよび低レベル期間の長さが同一であるとする。
【００４１】
走査駆動部２００，３００，４００は，出力する信号のパルス幅とレベルによりその構造が決められる。そこで，走査駆動部２００，３００，４００出力信号の条件に対して，次のように仮定する。
【００４２】
まず，クロックＶＣＬＫの周波数を下げるために，選択信号の低レベルパルス幅は半クロックＶＣＬＫと同一であるとする。そして，選択走査線Ｓ１〜Ｓｍの個数ｍは，偶数であり，それにより，第１の実施例で，発光信号のパルス幅は，クロックＶＣＬＫの整数倍で与えられる。そして，走査駆動部２００，３００，４００でシフトレジスター動作のために使用されるフリップフロップは，クロックＶＣＬＫが高レベルまたは低レベルであるときの入力信号を，一クロックＶＣＬＫの間に出力する。このような条件で，フリップフロップの出力パルスは，クロックＶＣＬＫの整数倍に相当するので，フリップフロップの出力が直接選択信号として使用することはできない。
【００４３】
したがって，図４Ａに示したように，選択走査駆動部２００は，（ｍ＋１）個のフリップフロップＦＦ１１〜ＦＦ１（ｍ＋１）とｍ個のＮＡＮＤゲートＮＡＮＤ１１〜ＮＡＮＤ１ｍとからなり，シフトレジスターとして動作する。そして，ＮＡＮＤゲートＮＡＮＤ１ｉの出力信号が選択信号Ｓｅｌｅｃｔ［ｉ］となる（ここでｉはからとｍの間の整数）。図４Ａで，第１フリップフロップＦＦ１１の入力信号は図５の開始信号ＶＳＰ１であり，ｉ番目フリップフロップＦＦ１ｉの出力信号ＳＲ１ｉが（ｉ＋１）番目フリップフロップＦＦ１（ｉ＋１）の入力信号となる。ｉ番目ＮＡＮＤゲートＮＡＮＤ１ｉは，ｉ番目フリップフロップＦＦ１ｉの出力信号ＳＲ１ｉと（ｉ＋１）番目フリップフロップＦＦ１（ｉ＋１）との出力信号ＳＲ１（ｉ＋１）をＮＡＮＤ演算して，選択信号Ｓｅｌｅｃｔ［ｉ］として出力する。
【００４４】
具体的に，図４Ａで縦方向奇数番目に位置するフリップフロップＦＦ１ｉは，クロックＶＣＬＫ，ＶＣＬＫｂを各々内部クロックｃｌｋ，ｃｌｋｂとして受信し，偶数番目に位置するフリップフロップＦＦ１ｉは，クロックＶＣＬＫｂ，ＶＣＬＫを各々内部クロックｃｌｋ，ｃｌｋｂとして受信する。フリップフロップＦＦ１ｉは，クロックｃｌｋが高レベルであれば入力信号ｉｎをそのまま出力し，クロックｃｌｋが低レベルであれば低レベル期間の間に入力信号ｉｎをラッチして出力する。
【００４５】
しかし，フリップフロップＦＦ１ｉの出力信号ＳＲ１ｉがフリップフロップＦＦ１（ｉ＋１）の入力信号になり，隣接した二つのフリップフロップＦＦ１ｉ，ＦＦ１（ｉ＋１）にはクロックＶＣＬＫ，ＶＣＬＫｂが反転されて入力される。このため，フリップフロップＦＦ１（ｉ＋１）の出力信号ＳＲ１（ｉ＋１）は，フリップフロップＦＦ１ｉの出力信号ＳＲ１ｉに対して半クロックＶＣＬＫだけシフトされた信号となる。
【００４６】
そして，図５に示すように，開始信号ＶＳＰ１は，クロックＶＣＬＫが一回高レベルである期間の間に高レベルパルスであるので，フリップフロップＦＦ１１は，高レベルパルスを一クロックＶＣＬＫの間に出力する。したがって，フリップフロップＦＦ１ｉは，高レベルパルスＳＲ１ｉを半クロックＶＣＬＫだけシフトしながら順次に出力する。
【００４７】
ＮＡＮＤゲートＮＡＮＤ１ｉは，フリップフロップＦＦ１ｉ，ＦＦ１（ｉ＋１）の出力信号ＳＲ１ｉ，ＳＲ１（ｉ＋１）をＮＡＮＤ演算するので，出力信号ＳＲ１ｉ，ＳＲ１（ｉ＋１）が全て高レベルである場合に低レベルパルスを出力する。前述したように，フリップフロップＦＦ１（ｉ＋１）の出力信号ＳＲ１（ｉ＋１）は，フリップフロップＦＦ１ｉの出力信号ＳＲ１ｉに対して半クロックＶＣＬＫだけ移動した信号である。このため，ＮＡＮＤゲートＮＡＮＤ１ｉの出力信号Ｓｅｌｅｃｔ［ｉ］は，二つの出力信号ＳＲ１ｉ，ＳＲ１（ｉ＋１）が共通に高レベルパルスである期間，つまり，半クロックＶＣＬＫに相当する期間の間に低レベルパルスを有する。そして，二つの出力信号ＳＲ１（ｉ＋１），ＳＲ１（ｉ＋２）は，出力信号ＳＲ１ｉ，ＳＲ１（ｉ＋１）に対して各々半クロックＶＣＬＫだけシフトされており，ＮＡＮＤゲートＮＡＮＤ１（ｉ＋１）の出力信号Ｓｅｌｅｃｔ［ｉ＋１］は，ＮＡＮＤゲートＮＡＮＤ１ｉの出力信号Ｓｅｌｅｃｔ［ｉ］に対して半クロックＶＣＬＫのみシフトされた信号となる。したがって，選択走査駆動部２００は，図５のように選択信号Ｓｅｌｅｃｔ［ｉ］を半クロックＶＣＬＫだけシフトしながら順次に出力することができる。
【００４８】
次に，図４Ｂを参照して，図４ＡのフリップフロップＦＦ１ｉの一例について説明する。
【００４９】
図４Ｂに示すように，フリップフロップＦＦ１ｉは，入力端に位置する３相インバータ２１１とラッチを形成するインバータ２１２および３相インバータ２１３を含む。クロックｃｌｋが高レベルになれば，３相インバータ２１１は入力信号ｉｎを反転して出力し，インバータ２１２は，３相インバータ２１１の出力信号ｉｎｖを反転して出力する。クロックｃｌｋが低レベルになれば，３相インバータ２１１の出力は遮断され，インバータ２１２の出力が３相インバータ２１３に入力され，３相インバータ２１３の出力ｉｎｖがインバータ２１２に入力されるラッチが形成される。そして，インバータ２１２の出力信号がフリップフロップＦＦ１ｉの出力信号Ｏｕｔとなり，インバータ２１２の入力信号ｉｎｖは，出力信号Ｏｕｔに対して反転された信号である。このように，フリップフロップＦＦ１ｉは，クロックｃｌｋが高レベルであれば入力信号ｉｎをそのまま出力し，クロックｃｌｋが低レベルであれば高レベル時の入力信号ｉｎをラッチして出力することができる。
【００５０】
次に，図３の駆動波形を生成する発光走査駆動部３００，４００について，図６を参照して詳細に説明する。
【００５１】
図６は，本実施例にかかる有機発光表示装置の発光走査駆動部を示す図面である。図３に示すように，発光信号ｅｍｉｔ１［ｉ］は，第１副フィールド１Ｆに相当する期間，つまり，クロックＶＣＬＫの整数倍に相当する期間の間に低レベルパルスを有する。このため，フリップフロップの出力のみで発光信号が生成できる。
【００５２】
図６に示すように，本実施例にかかる発光走査駆動部３００は，ｍ個のフリップフロップＦＦ２１〜ＦＦ２ｍからなり，シフトレジスターとして動作する。そして，発光走査駆動部３００のクロックＶＣＬＫは，選択走査駆動部２００のクロックＶＣＬＫと同一である。第１フリップフロップＦＦ２１の入力信号ｉｎは，図５の開始信号ＶＳＰ２であり，ｉ番目フリップフロップＦＦ２ｉの出力信号Ｏｕｔが，ｉ番目発光走査線Ｅ１ｉの発光信号ｅｍｉｔ１［ｉ］および（ｉ＋１）番目フリップフロップＦＦ２（ｉ＋１）の入力信号となる。
【００５３】
発光走査駆動部３００で順次に出力される発光信号ｅｍｉｔ１［ｉ］は，各々半クロックＶＣＬＫだけシフトされているので，隣接した二つのフリップフロップＦＦ２ｉ，ＦＦ２（ｉ＋１）でクロックＶＣＬＫ，ＶＣＬＫｂが反転されて使用される。そして，発光走査駆動部３００で使用されるフリップフロップＦＦ２ｉは，図４Ａおよび図４Ｂで説明したフリップフロップＦＦ１ｉと同一の構造を有する。
【００５４】
図６の第１フリップフロップＦＦ２１の出力信号ｅｍｉｔ１［１］で低レベルパルスの開始時点は，図４Ａの第１フリップフロップＦＦ１１の出力信号ＳＲ１１の高レベルパルスの開始時点に対して半クロックＶＣＬＫだけシフトされている。したがって，図４Ａとは異なり，奇数番目フリップフロップＦＦ２ｉは，クロックＶＣＬＫｂ，ＶＣＬＫを各々内部クロックｃｌｋ，ｃｌｋｂとして受信する。一方，偶数番目フリップフロップＦＦ２ｉは，クロックＶＣＬＫ，ＶＣＬＫｂを各々内部クロックｃｌｋ，ｃｌｋｂとして受信する。
【００５５】
そして，第１フリップフロップＦＦ２１の出力信号である発光信号ｅｍｉｔ１［１］が第１副フィールド１Ｆ期間の間に低レベルパルスを有するために，図３のように第１副フィールド１ＦでクロックＶＣＬＫが低レベルであるとき，開始信号ＶＳＰ２は，低レベルであればよい。そして，第２副フィールド２Ｆで発光信号ｅｍｉｔ１［１］は高レベルであるので，第２副フィールド２Ｆ期間でクロックＶＣＬＫが低レベルであるとき，開始信号ＶＳＰ２は高レベルであればよい。
【００５６】
したがって，発光走査駆動部３００は，図３のように第１副フィールド１Ｆ期間の間に低レベルパルスを有する発光信号ｅｍｉｔ１［ｉ］を，半クロックＶＣＬＫだけシフトしながら順次に出力することができる。このとき，開始信号ＶＳＰ１２の低レベル期間を第１副フィールド１Ｆより短くすれば，発光信号ｅｍｉｔ１［ｉ］の低レベルパルス幅を第１副フィールド１Ｆより短くすることもできる。
【００５７】
そして，発光走査駆動部４００の出力信号である発光信号ｅｍｉｔ２［ｉ］は，発光走査駆動部３００の発光信号ｅｍｉｔ１［ｉ］に対して反転された形態の信号であるので，発光走査駆動部４００は，発光走査駆動部３００と同一の構造で形成することができる。このとき，第１副フィールド１Ｆと第２副フィールド２Ｆの期間が同一であれば，発光走査駆動部４００の開始信号ＶＳＰ３は，開始信号ＶＳＰ２を第１副フィールド１Ｆだけシフトした信号を使用すればよい。その結果，発光走査駆動部４００は，図３のような発光信号ｅｍｉｔ２［ｉ］を半クロックＶＣＬＫだけシフトしながら，順次に出力することができる。
【００５８】
以上説明した選択走査駆動部２００および発光走査駆動部３００，４００によれば，各副フィールド１Ｆ，２Ｆで選択信号Ｓｅｌｅｃｔ［ｉ］が低レベルに下降する時点は，ｉ番目行の発光走査線Ｅ１ｉ，Ｅ２ｉに伝達される発光信号ｅｍｉｔ１［ｉ］，ｅｍｉｔ２［ｉ］の低レベル下降時点と各々同一である。このような駆動波形は，一般にデータ線Ｄｊに電圧形態のデータ信号が伝達されて，キャパシタＣｓｔに記入される電圧記入方式の有機発光表示装置に適用できる。つまり，電圧記入方式では，データ記入と同時に，駆動トランジスタＭ１で有機発光素子ＯＬＥＤ１またはＯＬＥＤ２に電流が伝達されても構わない。したがって，図３のような波形が可能である。しかし，電流記入方式の有機発光表示装置では，一般にデータが記入されるときに駆動トランジスタＭ１と有機発光素子ＯＬＥＤ１またはＯＬＥＤ２が電気的に遮断される必要がある。以下では，このような実施例について，図７〜図１２を参照して詳細に説明する。
【００５９】
（第２の実施例）
図７は，第２の実施例にかかる有機発光表示装置の画素全般の概略的な回路図である。本実施例にかかる有機発光表示装置は，データ線Ｄ１〜Ｄｎに電流形態のデータ信号が伝達される電流記入方式である。
【００６０】
図７に示すように，本実施例にかかる有機発光表示装置で，大画素領域１１０ｉｊ’，１１０ｉ（ｊ＋１）’，１１０ｉ（ｊ＋２）’の構造は，駆動素子以外は第１の実施例と同一である。具体的に，駆動素子は，駆動トランジスタＭ１’，スイッチングトランジスタＭ２’，ダイオード連結用トランジスタＭ４およびキャパシタＣｓｔ’を含む。大画素領域１１０ｉｊ’でトランジスタＭ１’，Ｍ２’，Ｍ３１’，Ｍ３２’，キャパシタＣｓｔ’，選択走査線Ｓｉ，発光走査線Ｅ１ｉ，Ｅ２ｉおよびデータ線Ｄｊの間の連結関係は，図２と同一であるので，その説明は省略する。そして，トランジスタＭ４は，トランジスタＭ１’のドレーンとデータ線Ｄｊとの間に連結され，そのゲートに選択走査線Ｓｉが連結されている。
【００６１】
選択走査線Ｓｉからの選択信号が低レベルになると，トランジスタＭ２’，Ｍ４が導通してデータ線Ｄｊからのデータ電流がトランジスタＭ１’のドレーンに流れる。このようにトランジスタＭ１’のドレーンに電流が流れれば，キャパシタＣｓｔ’には電圧が充電され，キャパシタＣｓｔ’に充電された電圧によりトランジスタＭ１’のドレーンに流れる電流がデータ電流と同一になるまでキャパシタＣｓｔ’には電圧が充電される。
【００６２】
次に，発光走査線Ｅ１ｉからの発光信号が低レベルになれば，トランジスタＭ３１’が導通して駆動トランジスタＭ１’から有機発光素子ＯＬＥＤ１’に電流ＩＯＬＥＤが供給されて，電流値ＩＯＬＥＤに対応する輝度で有機発光素子ＯＬＥＤ１’が発光する。同様に，発光走査線Ｅ２ｉからの発光信号が低レベルになれば，トランジスタＭ３２’が導通して，駆動トランジスタＭ１’から有機発光素子ＯＬＥＤ２’に電流が供給されて，有機発光素子ＯＬＥＤ２’が発光する。
【００６３】
また，図８を参照して，本実施例にかかる有機発光表示装置の駆動方法について詳細に説明する。ここで，図８は，本実施例にかかる有機発光表示装置の信号タイミング図である。
【００６４】
図８に示すように，本実施例にかかる有機発光表示装置も，第１の実施例と同様に，一つのフレーム期間が二つの副フィールド１Ｆ，２Ｆに分割されて駆動される。その駆動方法は，各副フィールド１Ｆ，２Ｆで発光走査線Ｅ１ｉ，Ｅ２ｉに印加される発光信号ｅｍｉｔ１［ｉ］’，ｅｍｉｔ２［ｉ］’のタイミングを除けば，第１の実施例と同一である。
【００６５】
具体的に，第１副フィールド１Ｆでｉ番目行の発光走査線Ｅ１ｉに伝達される発光信号ｅｍｉｔ１［ｉ］’は，ｉ番目行選択走査線Ｓｉの選択信号Ｓｅｌｅｃｔ［ｉ］が低レベルから高レベルになる時点から低レベルパルスを有する。そして，この低レベルパルスは，第１副フィールド１Ｆに相当する期間と選択信号Ｓｅｌｅｃｔ［ｉ］の低レベルパルス幅との差に相当する幅を有する。
【００６６】
その後，選択走査線Ｓｉに低レベルの選択信号Ｓｅｌｅｃｔ［ｉ］が印加されるとき，ｉ番目行各大画素領域の二つの有機発光素子のうち，有機発光素子ＯＬＥＤ１’に対応するデータ電流Ｄａｔａ［ｊ］’がデータ線Ｄｊに伝達される。このとき，ｉ番目行発光走査線Ｅ１ｉ，Ｅ２ｉの発光信号ｅｍｉｔ１［ｉ］’，ｅｍｉｔ２［ｉ］’は高レベル状態であるので，駆動トランジスタＭ１’と有機発光素子ＯＬＥＤ１’，ＯＬＥＤ２’は電気的に遮断されて，トランジスタＭ１’のドレーン電流がデータ電流Ｄａｔａ［ｊ］’と同一になるまでキャパシタＣｓｔ’に電圧が充電される。次に，発光信号ｅｍｉｔ１［ｉ］’が低レベルになってキャパシタＣｓｔ’に充電された電圧に対応する電流が，トランジスタＭ３１’を通って有機発光素子ＯＬＥＤ１’に伝達され，発光する。
【００６７】
このように，第１〜ｍ番目行の選択走査線Ｓ１〜Ｓｍに低レベルパルスを有する選択信号Ｓｅｌｅｃｔ［１］〜ｓｅｌｅｃｔ［ｍ］が順次に印加される。そして，選択走査線Ｓｉの選択信号Ｓｅｌｅｃｔ［ｉ］が低レベルから高レベルになる時点で，ｉ番目行の二つの発光走査線Ｅ１ｉ，Ｅ２ｉのうち，発光走査線Ｅ１ｉの発光信号ｅｍｉｔ１［ｉ］’が低レベルパルスとなる。
【００６８】
同様に，第２副フィールド２Ｆでも，ｉ番目行の発光走査線Ｅ２ｉの発光信号ｅｍｉｔ２［ｉ］’は，ｉ番目行選択走査線Ｓｉの選択信号Ｓｅｌｅｃｔ［ｉ］が低レベルから高レベルになる時点から低レベルパルスを有する。そして，この低レベルパルスは，第２副フィールド２Ｆに相当する期間と選択信号Ｓｅｌｅｃｔ［ｉ］の低レベルパルス幅との差に相当する幅を有する。
【００６９】
以下に，図８に示した駆動波形を生成する発光走査駆動部３００ａ，４００ａについて，図９〜図１２を参照して詳細に説明する。
【００７０】
図９は，本実施例にかかる有機発光表示装置の発光走査駆動部３００ａを示す図面である。また，図１０は，図９の発光走査駆動部３００ａの信号タイミング図である。
【００７１】
図８に示すように，本実施例にかかる有機発光表示装置で選択走査駆動部２００は，駆動タイミングが第１の実施例と同一であり，第１の実施例における選択走査駆動部２００と同一の構造およびタイミングを使用するため，以下では発光走査駆動部３００ａ，４００ａについてのみ説明する。
【００７２】
本実施例では，第１の実施例とは異なり，選択信号Ｓｅｌｅｃｔ［ｉ］が低レベルであるとき，発光信号ｅｍｉｔ１［ｉ］’は高レベルであるので，発光信号ｅｍｉｔ１［ｉ］’の低レベルパルス幅が半クロックＶＣＬＫの奇数倍になる。しかし，図６の発光走査駆動部３００の出力信号は常にクロックＶＣＬＫの整数倍になるので，図６の発光走査駆動部３００を図８の波形に適用することはできない。したがって，クロックＶＣＬＫの整数倍で出力される信号とこの信号とを，半クロックＶＣＬＫだけシフト一つの信号を演算して出力するシフトレジスター，つまり，図４Ａに示したシフトレジスターを，本実施例にかかる発光走査駆動部３００ａに適用することができる。
【００７３】
図９に示すように，本実施例にかかる発光走査駆動部３００ａは，（ｍ＋１）個のフリップフロップＦＦ３１〜ＦＦ３（ｍ＋１）とｍ個のＮＡＮＤゲートＮＡＮＤ３１〜ＮＡＮＤ３ｍとからなり，シフトレジスターとして動作する。第１フリップフロップＦＦ３１の入力信号は，図８および図１０の開始信号ＶＳＰ２ａであり，ｉ番目フリップフロップＦＦ３ｉの出力信号ＳＲ３ｉが（ｉ＋１）番目フリップフロップＦＦ３（ｉ＋１）の入力信号となる（ここで，ｉは１〜ｍの間の整数）。そして，ＮＡＮＤゲートＮＡＮＤ３ｉは，二つのフリップフロップＦＦ３ｉ，ＦＦ３（ｉ＋１）の出力信号ＳＲ３ｉ，ＳＲ３（ｉ＋１）をＮＡＮＤ演算して，発光信号ｅｍｉｔ１［ｉ］’を出力する。
【００７４】
ここで，図９の発光走査駆動部３００ａは，図４Ａの選択走査駆動部２００に対してクロックＶＣＬＫ，ＶＣＬＫｂが反対に使用されるという点を除けば，選択走査駆動部２００と同一の構造を有する。したがって，発光走査駆動部３００ａの詳細な構造および動作についてはその説明を省略する。このようにすれば，図８のように発光信号ｅｍｉｔ１［１］’の低レベルパルスの開始時点が選択信号Ｓｅｌｅｃｔ［１］低レベルパルスの開始時点に対して半クロックＶＣＬＫだけシフトされるようになる。
【００７５】
第１フリップフロップＦＦ３１は，クロックＶＣＬＫが低レベルであるときの開始信号ＶＳＰ２ａを，一クロックＶＣＬＫの間に出力する。図１０に示すように，第１副フィールド１ＦでクロックＶＣＬＫが低レベルであるとき，開始信号ＶＳＰ２ａは高レベルである。また，第２副フィールド２Ｆ期間でクロックＶＣＬＫが低レベルであるとき，開始信号ＶＳＰ２ａは低レベルである。したがって，フリップフロップＦＦ３ｉは，第１副フィールド１Ｆ期間の間に高レベルパルスを有する出力信号ＳＲ３ｉを，半クロックＶＣＬＫだけシフトしながら順次に出力することができる。
【００７６】
ＮＡＮＤゲートＮＡＮＤ３ｉは，二つのフリップフロップＦＦ３ｉ，ＦＦ３（ｉ＋１）の出力信号ＳＲ３ｉ，ＳＲ３（ｉ＋１）をＮＡＮＤ演算するので，出力信号ＳＲ３ｉ，ＳＲ３（ｉ＋１）が全て高レベルである場合に低レベルパルスを出力する。したがって，ＮＡＮＤゲートＮＡＮＤ３ｉの出力信号である発光信号ｅｍｉｔ１［ｉ］’は，二つの出力信号ＳＲ３ｉ，ＳＲ３（ｉ＋１）が共通に高レベルである期間の間，つまり，第１副フィールド１Ｆと半クロックＶＣＬＫとの差に相当する期間の間に低レベルパルスを有する。そして，発光信号ｅｍｉｔ１［ｉ］’は，選択信号Ｓｅｌｅｃｔ［ｉ］が高レベルになる時点から低レベルとなる。また，図４Ａおよび図５で説明したように，ＮＡＮＤゲートＮＡＮＤ３（ｉ＋１）の出力信号である発光信号ｅｍｉｔ１［ｉ＋１］’は，発光信号ｅｍｉｔ１［ｉ］’に対して半クロックＶＣＬＫだけシフトされる。
【００７７】
次に，発光走査駆動部４００ａの発光信号ｅｍｉｔ２［ｉ］’は，第２副フィールド２Ｆで発光信号ｅｍｉｔ１［１］’と同一な波形を有するので，発光走査駆動部４００ａは，図９の発光走査駆動部３００ａと同一の構造を使用できる。このとき，第１副フィールド１Ｆと第２副フィールド２Ｆとの期間が同一であれば，図８に示すように，発光走査駆動部４００ａの開始信号ＶＳＰ３ａは，開始信号ＶＳＰ２ａを第１副フィールド１Ｆだけシフト一つの信号を使用すればよい。
【００７８】
以上，図８の発光信号ｅｍｉｔ１［ｉ］’，ｅｍｉｔ２［ｉ］’を生成する発光走査駆動部３００ａ，４００ａとして，図４Ａおよび図４Ｂに示した選択走査駆動部２００と同一形態のシフトレジスターを使用する実施例について説明した。なお，本実施例は一例に過ぎず，他の形態のシフトレジスターを使用することもできる。以下ではこのような実施例について，図１１および図１２を参照して詳細に説明する。
【００７９】
（第３の実施例）
図１１は，第３の実施例にかかる有機発光表示装置の発光走査駆動部３００ｂを示す図面である。また，図１２は，図１１の発光走査駆動部３００ｂの信号タイミング図である。
【００８０】
図１１に示したように，本実施例にかかる発光走査駆動部３００ｂは，（ｍ＋１）個のフリップフロップＦＦ４１〜ＦＦ４（ｍ＋１）とｍ個のＮＯＲゲートＮＯＲ４１〜ＮＯＲ４ｍとからなり，シフトレジスターとして動作する。そして，ＮＯＲゲートＮＯＲ４ｉの出力信号が，発光走査線Ｅ１ｉの発光信号ｅｍｉｔ１［ｉ］’となる。また，第１フリップフロップＦＦ４１の入力信号は，図１２の開始信号ＶＳＰ２ｂであり，ｉ番目フリップフロップＦＦ４ｉの出力信号ＳＲ４ｉが（ｉ＋１）番目フリップフロップＦＦ４（ｉ＋１）の入力信号となる。ＮＯＲゲートＮＯＲ１ｉは，二つのフリップフロップＦＦ４ｉ，ＦＦ４（ｉ＋１）の出力信号ＳＲ４ｉ，ＳＲ４（ｉ＋１）をＮＯＲ演算して，発光信号ｅｍｉｔ１［ｉ］’を出力する。
【００８１】
ＮＯＲ演算のために，第１フリップフロップＦＦ４１の出力信号ＳＲ４１の高レベル時点は，図９の第１フリップフロップＦＦ３１の出力信号ＳＲ３１の高レベル時点に対して半クロックＶＣＬＫだけシフトされているので，フリップフロップＦＦ４ｉは，図９のフリップフロップＦＦ３ｉに対してクロックＶＣＬＫ，ＶＣＬＫｂが反転されて使用される。したがって，第１フリップフロップＦＦ４１は，クロックＶＣＬＫが高レベルパルスであるときの開始信号ＶＳＰ２ｂを，一クロックＶＣＬＫの間に出力する。図１２に示すように，第１副フィールド１Ｆで一クロックＶＣＬＫを除いた期間の間に，クロックＶＣＬＫが高レベルであるとき，開始信号ＶＳＰ２ｂは高レベルであるので，この期間でフリップフロップＦＦ４１の出力信号ＳＲ４１は高レベルパルスを有する。また，第２副フィールド２Ｆで出力信号ＳＲ４１は低レベルであるので，第２副フィールド２Ｆ期間で開始信号ＶＳＰ２ｂは低レベルであればよい。したがって，フリップフロップＦＦ４ｉは，第１副フィールド１Ｆで一クロックＶＣＬＫを除いた期間の間に，高レベルパルスを有する出力信号ＳＲ４ｉを半クロックＶＣＬＫだけシフトしながら順次に出力することができる。
【００８２】
ＮＯＲゲートＮＯＲ４ｉは，フリップフロップＦＦ４ｉ，ＦＦ４（ｉ＋１）の出力信号ＳＲ４ｉ，ＳＲ４（ｉ＋１）のうちの少なくとも一つが高レベルである場合に低レベルパルスを出力する。したがって，ＮＯＲゲートＮＯＲ４ｉの出力信号ｅｍｉｔ１［ｉ］’は，第１副フィールド１Ｆと半クロックＶＣＬＫとの差に相当する期間の間に低レベルパルスを有し，低レベルパルスの開始時点は，選択信号Ｓｅｌｅｃｔ［ｉ］の低レベルパルスの終了時点と同一である。また，出力信号ＳＲ４ｉは，半クロックＶＣＬＫだけシフトされて出力されるので，ＮＯＲゲートＮＯＲ４（ｉ＋１）の出力信号ｅｍｉｔ１［ｉ＋１］’は，発光信号ｅｍｉｔ１［ｉ］’に対して半クロックＶＣＬＫだけシフトされる。
【００８３】
そして，発光走査駆動部４００ｂの発光信号ｅｍｉｔ２［ｉ］’は，第２副フィールド２Ｆで発光信号ｅｍｉｔ１［１］’と同一の波形を有する。したがって，発光走査駆動部４００ｂは，図１１の発光走査駆動部３００ｂと同一の構造を使用することができる。このとき，第１副フィールド１Ｆと第２副フィールド２Ｆとの期間が同一であれば，発光走査駆動部４００ｂの開始信号は，開始信号ＶＳＰ２ｂを第１副フィールド１Ｆだけシフトした信号を使用すればよい。
【００８４】
以上，第２および第３の実施例では，電流記入方式の有機発光表示装置に適用される発光走査駆動部について説明したが，このような発光走査駆動部は電圧記入方式にも適用することができる。つまり，電圧記入方式で選択信号が印加される間に有機発光素子が発光することを遮断する場合にも，第２および第３の実施例の発光走査駆動部を適用することができる。
【００８５】
そして，第１〜第３の実施例では，図１に示した有機発光表示装置に適用される選択および発光走査駆動部を説明したが，このような走査駆動部は，図１３の有機発光表示装置にも適用することができる。図１３は，第４の実施例にかかる有機発光表示装置の概略的な平面図である。
【００８６】
（第４の実施例）
図１３に示すように，ｉ番目行の発光走査線Ｅ１ｉ，Ｅ２ｉの連結状態と（ｉ＋１）番目行の発光走査線Ｅ１（ｉ＋１），Ｅ２（ｉ＋１）との連結状態は異なる。具体的に，第１行では発光走査線Ｅ１１が大画素領域１１０’で左側小画素１１１’に連結されており，発光走査線Ｅ２１が右側小画素１１２’に連結されている。そして，第２行では，発光走査線Ｅ１２が大画素領域１１０’で右側小画素１１２’に連結されており，発光走査線Ｅ２２が左側小画素１１１’に連結されている。つまり，奇数番目行では，発光走査線Ｅ１ｉが左側小画素１１１’に連結されて発光走査線Ｅ２ｉが右側小画素１１２’に連結される。これに対し，偶数番目行では，これと反対に連結される。その結果，第１副フィールド１Ｆでは，奇数番目行各大画素領域１１０’の左側小画素１１１’と偶数番目行の各大画素領域１１０’右側小画素１１２’が発光し，第２副フィールド２Ｆでは，奇数番目行の各大画素領域１１０’右側小画素１１２’と偶数番目行の各大画素領域１１０’左側小画素１１１’とが発光する。
【００８７】
以上，第１〜第４の実施例では，二つの発光走査駆動部３００，４００が別途に形成されると説明したが，二つの発光走査駆動部３００，４００を一つとして形成することもできる。以下では，このような実施例について，図１４〜図２１を参照して詳細に説明する。
【００８８】
（第５の実施例）
図１４は，第５の実施例にかかる有機発光表示装置の概略的な平面図である。
【００８９】
図１４に示すように，本実施例にかかる有機発光表示装置は，一つの発光走査駆動部６００を有する点を除けば，図１の有機発光表示装置と同一の構造を有する。発光走査駆動部６００は，第１副フィールドで複数の発光走査線Ｅ１１〜Ｅ１ｍに発光信号を順次に印加し，第２副フィールドで複数の発光走査線Ｅ２１〜Ｅ２ｍに発光信号を順次に印加する。
【００９０】
まず，図３の駆動波形を生成する図１４の発光走査駆動部６００について，図１５を参照して詳細に説明する。
【００９１】
図１５は，本実施例にかかる有機発光表示装置の発光走査駆動部６００を示す図面である。
【００９２】
図３に示したように，二つの発光信号ｅｍｉｔ１［ｉ］，ｅｍｉｔ２［ｉ］は，互いに反転された形態を有するので，発光走査駆動部６００は，二つの発光信号のうち，一つの発光信号ｅｍｉｔ１［ｉ］を図６の発光走査駆動部３００と同一に生成し，これを反転して残りの発光信号ｅｍｉｔ２［ｉ］を生成することができる。
【００９３】
具体的には，図１５に示すように，発光走査駆動部６００は，ｍ個のフリップフロップＦＦ５１〜ＦＦ５ｍとｍ個のインバータＩＮＶ５１〜ＩＮＶ５ｍとからなり，シフトレジスターとして動作する。そして，発光走査駆動部５００には，図３のクロックＶＣＬＫが入力される。
【００９４】
発光走査駆動部５００で，フリップフロップＦＦ５ｉは，図６のフリップフロップＦＦ２ｉと同一の連結関係を有し，フリップフロップＦＦ５ｉは，図６のフリップフロップＦＦ２ｉと同一の構造を有する。そして，第１フリップフロップＦＦ５１の入力信号ｉｎは，図３の開始信号ＶＳＰ２である。
【００９５】
ここで，ｉ番目フリップフロップＦＦ５ｉの出力信号Ｏｕｔが，ｉ番目発光走査線Ｅ１ｉの発光信号ｅｍｉｔ１［ｉ］，（ｉ＋１）番目フリップフロップＦＦ５（ｉ＋１）の入力信号およびｉ番目インバータＩＮＶ５ｉの入力信号となる。また，インバータＩＮＶ５ｉの出力信号が，ｉ番目発光走査線Ｅ２ｉの発光信号ｅｍｉｔ２［ｉ］となり，発光信号ｅｍｉｔ２［ｉ］は，インバータＩＮＶ５ｉにより発光信号ｅｍｉｔ１［ｉ］に対して反転された形態を有する。
【００９６】
したがって，発光走査駆動部６００は，図３のように第１副フィールド１Ｆ期間の間に低レベルパルスを有する発光信号ｅｍｉｔ１［ｉ］を半クロックＶＣＬＫだけシフトしながら，順次に出力することができる。そして，この発光信号ｅｍｉｔ１［ｉ］がインバータＩＮＶ５ｉにより反転されて，第２副フィールド２Ｆ期間の間に，低レベルパルスを有する発光信号ｅｍｉｔ２［ｉ］が半クロックＶＣＬＫだけシフトしながら，順次に出力することができる。
【００９７】
そして，図４Ｂのフリップフロップで，インバータ２１２の入力信号が出力信号Ｏｕｔに対して反転された形態を有するので，この入力信号がフリップフロップの反転された出力信号ｉｎｖとなる。したがって，図１５の発光走査駆動部６００で，インバータＩＮＶ５ｉを使用せずにフリップフロップＦＦ５ｉの反転された出力信号ｉｎｖを発光信号ｅｍｉｔ２［ｉ］として使用することもできる。
【００９８】
次に，図８の駆動波形を生成する図１４の発光走査駆動部６００ａについて，図１６および図１７を参照して詳細に説明する。
【００９９】
ここで，図１６は，第６の実施例にかかる有機発光表示装置の発光走査駆動部６００ａを示す図面である。また，図１７は，図１６の発光走査駆動部６００ａの信号タイミング図である。
【０１００】
（第６の実施例）
図８に示すように，発光走査駆動部６００ａは，二つの発光信号のうち，一つの発光信号ｅｍｉｔ１［ｉ］’を図９の発光走査駆動部３００ａと同一に生成し，この発光信号ｅｍｉｔ［１］’を利用して残りの発光信号ｅｍｉｔ２［ｉ］’を生成することができる。
【０１０１】
具体的には，図１６に示すように，本実施例にかかる発光走査駆動部６００ａは，（ｍ＋１）個のフリップフロップＦＦ６１〜ＦＦ６（ｍ＋１），ｍ個のＮＡＮＤゲートＮＡＮＤ６１〜ＮＡＮＤ６ｍ，ｍ個のＮＯＲゲートＮＯＲ６１〜ＮＯＲ６ｍおよびｍ個のインバータＩＮＶ６１〜ＩＮＶ６ｍからなり，シフトレジスターとして動作する。ＮＡＮＤゲートＮＡＮＤ６ｉの出力信号が発光走査線Ｅ１ｉの発光信号ｅｍｉｔ１［ｉ］’となり，ＮＯＲゲートＮＯＲ６ｉの出力信号がインバータＩＮＶ６ｉにより反転された信号が，発光走査線Ｅ２ｉの発光信号ｅｍｉｔ２［ｉ］’となる。
【０１０２】
発光走査駆動部６００ａで，フリップフロップＦＦ６ｉおよびＮＡＮＤゲートＮＡＮＤ６ｉは，図９のフリップフロップＦＦ３ｉおよびＮＡＮＤゲートＮＡＮＤ３ｉと同一の連結関係を有し，フリップフロップＦＦ６ｉは，図９のフリップフロップＦＦ３ｉと同一の構造を有する。そして，第１フリップフロップＦＦ６１の入力信号ｉｎは，図８および図１７の開始信号ＶＳＰ２ａである。その結果，図９で説明したように，第１副フィールド１Ｆと半クロックＶＣＬＫの差に相当する期間との間に，低レベルパルスを有する発光信号ｅｍｉｔ１［ｉ］’を順次に出力することができる。
【０１０３】
そして，ＮＯＲゲートＮＯＲ６ｉは，二つのフリップフロップＦＦ６ｉ，ＦＦ６（ｉ＋１）の出力信号ＳＲ６ｉ，ＳＲ６（ｉ＋１）をＮＯＲ演算して，インバータＩＮＶ６ｉに出力する。ここで，ＮＯＲゲートＮＯＲ６ｉとインバータＩＮＶ６ｉとは，ＯＲゲートの役割を果たす。
【０１０４】
図１７に示すように，フリップフロップＦＦ６ｉの出力信号ＳＲ６ｉは，第２副フィールド２Ｆの間に低レベルパルスを有し，ＮＯＲゲートＮＯＲ６ｉは，二つのフリップフロップＦＦ６ｉ，ＦＦ６（ｉ＋１）の出力信号ＳＲ６ｉ，ＳＲ６（ｉ＋１）が共通に低レベルである期間の間に，高レベルパルスを出力する。したがって，ＮＯＲゲートＮＯＲ６ｉの出力信号は，第２副フィールド２Ｆと半クロックＶＣＬＫの差に相当する期間との間に高レベルパルスを有し，この信号がインバータＩＮＶ６ｉにより反転されて，図８および図１７のように発光信号ｅｍｉｔ２［ｉ］’となる。そして，ＮＯＲゲートＮＯＲ６（ｉ＋１）の出力信号は，ＮＯＲゲートＮＯＲ６ｉの出力信号に対して半クロックＶＣＬＫだけシフトされるので，図８および図１７に示したような発光信号ｅｍｉｔ２［ｉ］’を生成することができる。
【０１０５】
以上，第６の実施例では，隣接した二つのフリップフロップの出力をＮＡＮＤ演算およびＮＯＲ演算して，二つの発光信号ｅｍｉｔ１［ｉ］’，ｅｍｉｔ２［ｉ］’を生成したが，発光信号ｅｍｉｔ２［ｉ］’をＮＡＮＤ演算で生成することができる。
【０１０６】
図８および図１７に示すように，第２副フィールド２Ｆでの発光信号ｅｍｉｔ２［ｉ］’は，第１副フィールド１Ｆでの発光信号と同一の波形を有し，図１６のフリップフロップＦＦ６ｉの出力信号ＳＲ６ｉは，第１副フィールド１Ｆおよび第２副フィールド２Ｆで反転された形態を有する。したがって，フリップフロップＦＦ６ｉの出力信号ＳＲ６ｉを反転した後，ＮＡＮＤ演算すれば，発光信号ｅｍｉｔ２［ｉ］’を生成することができる。以下では，このような実施例について，図１８および図１９を参照して説明する。
【０１０７】
図１８は，第７の実施例にかかる有機発光表示装置の発光走査駆動部６００ｂを示す図面である。図１９は，図１８の発光走査駆動部６００ｂの信号タイミング図である。
【０１０８】
（第７の実施例）
図１８に示すように，本実施例にかかる発光走査駆動部６００ｂは，発光信号ｅｍｉｔ２［ｉ］’をＮＡＮＤゲートＮＡＮＤ５ｉで生成するという点を除けば，図１６の発光走査駆動部と同一の構造を有する。具体的に，発光走査駆動部６００ｂは，図１６の発光走査駆動部６００ａと同一の（ｍ＋１）個のフリップフロップＦＦ６１〜ＦＦ６（ｍ＋１）とｍ個のＮＡＮＤゲートＮＡＮＤ６１〜ＮＡＮＤ６ｍとを含む。そして，発光走査駆動部６００ｂは，ＮＯＲゲートＮＯＲ６１〜ＮＯＲ６ｍとインバータＩＮＶ６１〜ＩＮＶ６ｍとの代りに，ｍ個のＮＡＮＤゲートＮＡＮＤ５１〜ＮＡＮＤ５ｍを含む。
【０１０９】
図４Ｂのフリップフロップで，インバータ２１２の入力信号ｉｎｖが出力信号Ｏｕｔに対して反転された形態を有するので，この入力信号ｉｎｖがフリップフロップの反転された出力信号ｉｎｖとなる。二つのフリップフロップＦＦ６ｉ，ＦＦ６（ｉ＋１）の反転された出力信号／ＳＲ６ｉ，／ＳＲ６（ｉ＋１）がＮＡＮＤゲートＮＡＮＤ５ｉの入力信号となり，ＮＡＮＤゲートＮＡＮＤ５ｉの出力信号が発光信号ｅｍｉｔ２［ｉ］’となる。
【０１１０】
そして，図１９に示したように，第２副フィールド２ＦおけるフリップフロップＦＦ６ｉの反転された出力信号／ＳＲ６ｉ）は，第１副フィールド１ＦにおけるフリップフロップＦＦ６ｉの出力信号ＳＲ６ｉと同一な形態を有するので，ＮＡＮＤゲートＮＡＮＤ５ｉの出力信号である発光信号ｅｍｉｔ２［ｉ］’は，図８および図１９のような形態を有することができる。
【０１１１】
そして，第６および第７の実施例では，発光信号ｅｍｉｔ１［ｉ］’が第１副フィールドと半クロックＶＣＬＫの差に相当する期間との間に低レベルパルスを有すると説明したが，図２０のように，第６および第７の実施例で，ＮＡＮＤゲートおよび／またはＮＯＲゲートの入力を変更して発光信号ｅｍｉｔ１［ｉ］’の低レベル期間を調節することもできる。
【０１１２】
図２０に示すように，図１６で（ｉ−１）番目および（ｉ＋１）番目フリップフロップＦＦ６（ｉ−１），ＦＦ６（ｉ＋１）の出力信号ＳＲ６（ｉ−１），ＳＲ６（ｉ＋１）を，ｉ番目ＮＡＮＤゲートＮＡＮＤ６ｉとｉ番目ＮＯＲゲートＮＯＲ６ｉの入力とすれば，発光信号ｅｍｉｔ１［ｉ］’’は，第１副フィールド１Ｆの最初と最後において，各々半クロックＶＣＬＫだけ除いた期間の間に低レベルパルスを有する。また，発光信号ｅｍｉｔ２［ｉ］’’は，第２副フィールド１Ｆの最初と最後において，各々半クロックＶＣＬＫだけ除いた期間の間に低レベルパルスを有する。
【０１１３】
そして，第５〜第７の実施例にかかる選択走査駆動部２００および発光走査駆動部６００，６００ａ，６００ｂも，図１３で説明した有機発光表示装置に適用することができる。図２１は，第８の実施例にかかる有機発光表示装置の概略的な平面図である。
【０１１４】
（第８の実施例）
図２１に示すように，図１３で説明したように奇数番目行では，発光走査線Ｅ１ｉが大画素領域１１０’の左側小画素１１１’に連結され，発光走査線Ｅ２ｉが右側小画素１１２’に連結されることに反し，偶数番目行では，これとは反対に連結される。そして，二つの発光走査線Ｅ１ｉ，Ｅ２ｉは，発光走査駆動部６００に連結されている。
【０１１５】
以上，第１〜第８の実施例では，発光走査駆動部３００，４００，６００と選択走査駆動部２００が別途に形成されると説明したが，発光走査駆動部と選択走査駆動部を一つの走査駆動部７００で形成することもできる。以下では，このような実施例について，図２２〜図３３を参照して詳細に説明する。
【０１１６】
図２２は，第９の実施例にかかる有機発光表示装置の概略的な平面図である。
【０１１７】
（第９の実施例）
図２２に示すように，第９の実施例にかかる有機発光表示装置は，選択走査駆動部と発光走査駆動部が走査駆動部７００に統合されている点を除けば，図１および図１４の有機発光表示装置と同一の構造を有する。走査駆動部７００は，第１および第２副フィールドで複数の選択走査線Ｓ１〜Ｓｍに選択信号を順次に印加する。また，走査駆動部７００は，第１副フィールドで複数の発光走査線Ｅ１１〜Ｅ１ｍに発光信号を順次に印加し，第２副フィールドで複数の発光走査線Ｅ２１〜Ｅ２ｍに発光信号を順次に印加する。
【０１１８】
第５〜第８の実施例で説明したように，一つの走査駆動部で二つの発光信号ｅｍｉｔ１［ｉ］，ｅｍｉｔ２［ｉ］を生成することができるので，以下ではこのような走査駆動部で選択信号Ｓｅｌｅｃｔ［ｉ］を生成する方法に観点をおいて説明する。
【０１１９】
まず，図３の駆動波形を生成する走査駆動部７００について，図２３および図２４を参照して詳細に説明する。
【０１２０】
図２３は，本実施例にかかる有機発光表示装置の走査駆動部７００を示す図面である。また，図２４は，図２３の走査駆動部７００の信号タイミング図である。なお，図２３でクロックＶＣＬＫの反転された信号は，ＶＣＬＫｂで示しており，また，図２４の信号タイミング図では，ＶＣＬＫｂの図示は省略した。
【０１２１】
図３に示すように，ｉ番目発光走査線Ｅ２ｉの発光信号ｅｍｉｔ２［ｉ］は発光信号ｅｍｉｔ１［ｉ］に対して反転された形態を有し，ｉ番目選択走査線Ｓｉの選択信号Ｓｅｌｅｃｔ［ｉ］は，ｉ番目および（ｉ＋１）番目発光信号ｅｍｉｔ１［ｉ］が互いに異なるレベルである期間の間に低レベルを有するので，一つの走査駆動部７００でこれら信号を生成することができる（ここで，ｉは１〜ｍの間の整数）。
【０１２２】
図２３に示すように，走査駆動部７００は，（ｍ＋１）個のフリップフロップＦＦ７１〜ＦＦ７（ｍ＋１），ｍ個のＸＮＯＲゲートＸＮＯＲ７１〜ＸＮＯＲ７ｍおよびｍ個のインバータＩＮＶ７１〜ＩＮＶ７ｍからなり，シフトレジスターとして動作する。そして，ＸＮＯＲゲートは，ＸＯＲゲートとインバータからなることができる。ここで，走査駆動部７００に入力されるクロックおよび開始信号は，図１５で説明した駆動部５００のクロックＶＣＬＫおよび開始信号ＶＳＰ２と同一である。
【０１２３】
図２３で，フリップフロップＦＦ７ｉおよびインバータＩＮＶ７ｉは，図１５で説明したフリップフロップＦＦ５ｉおよびインバータＩＮＶ５ｉと同一の連結関係を有し，フリップフロップＦＦ７ｉは，図１５のフリップフロップＦＦ５ｉと同一の構造を有する。したがって，図２４に示したように，フリップフロップＦＦ７ｉの出力信号ＳＲ７ｉが発光信号ｅｍｉｔ１［ｉ］となり，インバータＩＮＶ７ｉによりフリップフロップＦＦ７ｉの出力信号ＳＲ７ｉが反転されて，発光信号ｅｍｉｔ２［ｉ］となる。
【０１２４】
そして，ＸＮＯＲゲートＸＮＯＲ７ｉは，ｉ番目フリップフロップＦＦ７ｉの出力信号ＳＲ７ｉと（ｉ＋１）番目フリップフロップＦＦ７（ｉ＋１）の出力信号ＳＲ７（ｉ＋１）とをＸＮＯＲ演算して，選択信号Ｓｅｌｅｃｔ［ｉ］を出力する。つまり，ＸＮＯＲゲートＸＮＯＲ７ｉは，二つのフリップフロップＦＦ７ｉ，ＦＦ７（ｉ＋１）の出力信号ＳＲ７ｉ，ＳＲ７（ｉ＋１）が互いに異なるレベルである場合に低レベルの信号を出力する。
【０１２５】
図２４に示すように，フリップフロップＦＦ７（ｉ＋１）の出力信号ＳＲ７（ｉ＋１）は，フリップフロップＦＦ７ｉの出力信号ＳＲ７ｉに対して半クロックＶＣＬＫだけ移動した信号である。したがって，ＸＮＯＲゲートＸＮＯＲ７ｉの出力信号Ｓｅｌｅｃｔ［ｉ］は，フリップフロップＦＦ７ｉの出力信号ＳＲ７ｉの低レベルパルスの開始時点と高レベルパルスの開始時点から各々半クロックＶＣＬＫの間に低レベルパルスを有することができる。そして，二つの出力信号ＳＲ７（ｉ＋１），ＳＲ７（ｉ＋２）は，各々出力信号ＳＲ７ｉ，ＳＲ７（ｉ＋１）に対して半クロックＶＣＬＫだけシフトされているので，選択信号Ｓｅｌｅｃｔ［ｉ＋１］もまた選択信号Ｓｅｌｅｃｔ［ｉ］に対して半クロックＶＣＬＫだけシフトされて出力される。
【０１２６】
そして，図４Ｂに示すように，フリップフロップＦＦ７ｉでは，出力信号ＳＲ７ｉに対して反転された信号も出力されるので，図２３でインバータＩＮＶ７ｉの代りにフリップフロップＦＦ７ｉの反転された出力信号／ＳＲ７ｉで発光信号ｅｍｉｔ２［ｉ］を生成することができる。このような走査駆動部を図２５に示した。図２５は，第１０の実施例にかかる有機発光表示装置の走査駆動部７００ａを示す図面である。
【０１２７】
（第１０の実施例）
図２５に示した走査駆動部７００ａは，発光信号ｅｍｉｔ２［ｉ］がフリップフロップＦＦ７ｉの反転された出力ｉｎｖから出力される点を除けば，図２３の走査駆動部７００と同一の構造を有する。つまり，フリップフロップＦＦ７ｉは，出力信号ＳＲ７ｉとこの信号ＳＲ７ｉを反転した出力信号／ＳＲ７ｉを各々出力し，出力信号ＳＲ７ｉが発光信号ｅｍｉｔ１［ｉ］となり，反転された出力信号／ＳＲ７ｉが発光信号ｅｍｉｔ２［ｉ］となる。
【０１２８】
次に，図８の駆動波形を生成する走査駆動部７００ｂについて，図２６および図２７を参照して詳細に説明する。
【０１２９】
図２６は，第１１の実施例にかかる有機発光表示装置の走査駆動部７００ｂを示す図面である。また，図２７は，図２６の走査駆動部７００ｂの信号タイミング図である。
【０１３０】
（第１１の実施例）
図２６に示すように，走査駆動部７００ｂは，（ｍ＋１）個のフリップフロップＦＦ８１〜ＦＦ８（ｍ＋１），ｍ個のＸＮＯＲゲートＸＮＯＲ８１〜ＸＮＯＲ８ｍ，ｍ個のＮＡＮＤゲートＮＡＮＤ８１〜ＮＡＮＤ８ｍ，ｍ個のＮＯＲゲートＮＯＲ８１〜ＮＯＲ８ｍおよびｍ個のインバータＩＮＶ８１〜ＩＮＶ８ｍからなり，シフトレジスターとして動作する。そして，ＸＮＯＲゲートは，ＸＯＲゲートとインバータからなることができる。ここで，走査駆動部７００ｂに入力されるクロックおよび開始信号は，図１７で説明したクロックＶＣＬＫおよび開始信号ＶＳＰ２ａと同一である。
【０１３１】
図２６で，フリップフロップＦＦ８ｉ，ＮＡＮＤゲートＮＡＮＤ８ｉ，ＮＯＲゲートＮＯＲ８ｉおよびインバータＩＮＶ８ｉは，図１６で説明したフリップフロップＦＦ６ｉ，ＮＡＮＤゲートＮＡＮＤ６ｉ，ＮＯＲゲートＮＯＲ６ｉおよびインバータＩＮＶ６ｉと同一の連結関係を有し，フリップフロップＦＦ８ｉは，図１６のフリップフロップＦＦ６ｉと同一の構造を有する。したがって，図２７に示したように，ＮＡＮＤゲートＮＡＮＤ８ｉは，二つのフリップフロップＦＦ８ｉ，ＦＦ８（ｉ＋１）の出力信号ＳＲ８ｉ，ＳＲ８（ｉ＋１）をＮＡＮＤ演算して発光信号ｅｍｉｔ１［ｉ］’を出力する。そして，ＮＯＲゲートＮＯＲ８ｉは，二つのフリップフロップＦＦ８ｉ，ＦＦ８（ｉ＋１）の出力信号ＳＲ８ｉ，ＳＲ８（ｉ＋１）をＮＯＲ演算し，インバータＩＮＶ８ｉはＮＯＲゲートＮＯＲ８ｉの出力信号を反転して発光信号ｅｍｉｔ２［ｉ］’を出力する。
【０１３２】
また，フリップフロップＦＦ８ｉおよびＸＮＯＲゲートＸＮＯＲ８ｉは，図２３で説明したフリップフロップＦＦ７ｉおよびＸＮＯＲゲートＸＮＯＲ７ｉと同一の連結関係を有する。したがって，図２７に示したように，ＸＮＯＲゲートＸＮＯＲ８ｉは，二つのフリップフロップＦＦ８ｉ，ＦＦ８（ｉ＋１）の出力信号ＳＲ８ｉ，ＳＲ８（ｉ＋１）をＸＮＯＲ演算して選択信号Ｓｅｌｅｃｔ［ｉ］を出力する。
【０１３３】
以上，図２６および図２７の走査駆動部７００ｂでは，図２４の開始信号ＶＳＰ２を反転して開始信号ＶＳＰ２ａとして使用したが，これとは異なり，図２４の開始信号ＶＳＰ２をそのまま使用することもできる。その結果，フリップフロップＦＦ８ｉの出力信号ＳＲ８ｉが図２７に対して反転されて出力されるので，ＮＡＮＤゲートＮＡＮＤ８ｉの出力を発光信号ｅｍｉｔ２［ｉ］’として使用し，インバータＩＮＶ８ｉの出力を発光信号ｅｍｉｔ１［ｉ］’として使用すればよい。
【０１３４】
また，図２６の走査駆動部でもフリップフロップＦＦ８ｉの反転された出力信号を使用することができる。つまり，図１８で説明したようにＮＯＲゲートＮＯＲ８ｉとインバータＩＮＶ８ｉの代りにＮＡＮＤゲートを使用し，ＮＡＮＤゲートの入力として二つのフリップフロップＦＦ８ｉ，ＦＦ８（ｉ＋１）の反転された出力信号を使用すればよい。その結果，ＮＡＮＤゲートで発光信号ｅｍｉｔ２［ｉ］’が出力される。
【０１３５】
そして，第１１の実施例では，隣接した二つのフリップフロップの出力をＸＮＯＲ演算して選択信号Ｓｅｌｅｃｔ［ｉ］を生成したが，発光信号ｅｍｉｔ１［ｉ］’，ｅｍｉｔ２［ｉ］’から選択信号Ｓｅｌｅｃｔ［ｉ］を生成することもできる。以下では，このような実施例について，図２８を参照して説明する。
【０１３６】
図２８は，第１２の実施例にかかる有機発光表示装置の走査駆動部７００ｃを示す図面である。
【０１３７】
（第１２の実施例）
図２８に示すように，第１２の実施例にかかる走査駆動部７００ｃは，選択信号Ｓｅｌｅｃｔ［ｉ］を発光信号ｅｍｉｔ１［ｉ］’，ｅｍｉｔ２［ｉ］’のＮＡＮＤ演算で生成するという点を除けば，図２６の走査駆動部７００ｂと同一の構造を有する。
【０１３８】
具体的に，図２８の走査駆動部７００ｃは，ＸＮＯＲゲートの代りにｍ個のＮＡＮＤゲートＮＡＮＤ９１〜ＮＡＮＤ９ｍをさらに含む。図２７の駆動波形に示すように，選択信号Ｓｅｌｅｃｔ［ｉ］が低レベルである期間の間には，二つの発光信号ｅｍｉｔ１［ｉ］’，ｅｍｉｔ２［ｉ］’が全て高レベルであり，その他の期間では，二つの発光信号ｅｍｉｔ１［ｉ］’，ｅｍｉｔ２［ｉ］’のうちのいずれか一つが低レベルである。ＮＡＮＤゲートＮＡＮＤ９ｉは，二つの発光信号ｅｍｉｔ１［ｉ］’，ｅｍｉｔ２［ｉ］’をＮＡＮＤ演算して出力するので，二つの発光信号ｅｍｉｔ１［ｉ］’，ｅｍｉｔ２［ｉ］’が全て高レベルであるとき，ＮＡＮＤゲートＮＡＮＤ９ｉの出力は低レベルパルスとなる。したがって，ＮＡＮＤゲートＮＡＮＤ９ｉの出力を選択信号Ｓｅｌｅｃｔ［ｉ］として使用することができる。
【０１３９】
そして，図２８でもフリップフロップＦＦ８ｉの反転された出力信号を使用すれば，ＮＯＲゲートＮＯＲ８ｉとインバータＩＮＶ８ｉとの代りに，ＮＡＮＤゲートを使用することができる。
【０１４０】
以上，第１１および第１２の実施例では，発光信号ｅｍｉｔ１［ｉ］’，ｅｍｉｔ２［ｉ］’が一つの副フィールドと半クロックＶＣＬＫの差に相当する期間との間に低レベルパルスを有すると説明したが，第１１および第１２の実施例で発光信号ｅｍｉｔ１［ｉ］’，ｅｍｉｔ２［ｉ］’の低レベル期間を調節することもできる。以下では，このような実施例について，図２９〜図３２を参照して説明する。
【０１４１】
（第１３の実施例）
まず，図２６の走査駆動部７００ｂで発光信号ｅｍｉｔ１［ｉ］’，ｅｍｉｔ２［ｉ］’の低レベルパルス幅を調節できる実施例について，図２９を参照して説明する。図２９は，第１３の実施例にかかる有機発光表示装置の走査駆動部の信号タイミング図である。
【０１４２】
図２９に示すように，図２６の走査駆動部７００ｂで（ｉ−１）番目および（ｉ＋１）番目フリップフロップＦＦ８（ｉ−１），ＦＦ８（ｉ＋１）の出力信号ＳＲ８（ｉ−１），ＳＲ８（ｉ＋１）をｉ番目ＮＡＮＤゲートＮＡＮＤ８ｉとｉ番目ＮＯＲゲートＮＯＲ８ｉの入力とすれば，発光信号ｅｍｉｔ１［ｉ］’’は，第１副フィールド１Ｆの最初と最後で各々半クロックＶＣＬＫだけ除いた期間の間に低レベルパルスを有し，発光信号ｅｍｉｔ２［ｉ］’’は，第２副フィールド１Ｆの最初と最後で各々半クロックＶＣＬＫだけ除いた期間の間に低レベルパルスを有する。
【０１４３】
このように，（ｉ−ｊ）番目および（ｉ＋ｋ）番目フリップフロップＦＦ８（ｉ−ｊ），ＦＦ８（ｉ＋ｋ）の出力信号ＳＲ８（ｉ−ｊ），ＳＲ８（ｉ＋ｋ）を，ｉ番目ＮＡＮＤゲートＮＡＮＤ２ｉおよびｉ番目ＮＯＲゲートＮＯＲ２ｉの入力とすれば，発光信号ｅｍｉｔ１［ｉ］’’，ｅｍｉｔ２［ｉ］’’の低レベルパルス幅を最初と最後で各々半クロックＶＣＬＫの整数倍だけ調節することができる（ここで，ｊおよびｋは，０以上の整数）。
【０１４４】
次に，発光信号ｅｍｉｔ１［ｉ−１］’，ｅｍｉｔ１［ｉ］’が共通に低レベルである期間の間に低レベルパルスを有する信号を，図２９に示したｉ番目発光信号ｅｍｉｔ１［ｉ］’’として使用することができる。このような実施例について，図３０および図３１を参照して説明する。
【０１４５】
（第１４の実施例）
図３０は，第１４の実施例にかかる有機発光表示装置の走査駆動部７００ｄの概略的な図面である。また，図３１は，図３０の走査駆動部７００ｄの信号タイミング図である。
【０１４６】
図３０で，ＳＲ８（ｉ−１），ＳＲ８ｉおよびＳＲ８（ｉ＋１）は，各々図２６の走査駆動部７００ｂでフリップフロップＦＦ８（ｉ−１），ＦＦ８ｉ，ＦＦ８（ｉ＋１）の出力信号である。そして，二つの信号Ａｉ，Ｂｉは，各々図２６の走査駆動部７００ｂの二つの発光信号ｅｍｉｔ１［ｉ］’，ｅｍｉｔ２［ｉ］’に対応する。
【０１４７】
つまり，図３１に示したように，二つのフリップフロップＦＦ８（ｉ−１），ＦＦ８ｉの出力信号ＳＲ８（ｉ−１），ＳＲ８ｉがＮＡＮＤ演算されて信号Ａｉ−１が出力され，信号Ａｉ−１は第１副フィールド１Ｆの最後で半クロックＶＣＬＫを除いた期間の間に低レベルパルスを有する。そして，二つの出力信号ＳＲ８（ｉ−１），ＳＲ８ｉがＮＯＲ演算された後，インバータにより反転されて信号Ｂｉ−１が出力され，信号Ｂｉ−１は第２副フィールド２Ｆの最後で半クロックＶＣＬＫを除いた期間の間に低レベルパルスを有する。同様に，二つの信号Ａｉ，Ｂｉは，各々図２６の走査駆動部７００ｂの二つの発光信号ｅｍｉｔ１［ｉ］’，ｅｍｉｔ２［ｉ］’に対応し，この二つの信号Ａｉ，Ｂｉは，二つの信号Ａｉ−１，Ｂｉ−１に対して各々半クロックＶＣＬＫだけシフトされている。
【０１４８】
次に，二つの信号Ａｉ−１，ＡｉをＮＯＲ演算した後，反転することにより，二つの信号Ａｉ−１，Ａｉが全て低レベルである期間の間に低レベルである発光信号ｅｍｉｔ１［ｉ］’’を出力することができる。同様に，二つの信号Ｂｉ−１，ＢｉをＮＯＲ演算した後，反転することにより，二つの信号Ｂｉ−１，Ｂｉが全て低レベルである期間の間に低レベルである発光信号ｅｍｉｔ２［ｉ］’’を出力することができる。そして，図２６と同様に，二つのフリップフロップＦＦ８ｉ，ＦＦ８（ｉ＋１）の出力信号ＳＲ８ｉ，ＳＲ８（ｉ＋１）をＸＮＯＲ演算することにより，選択信号Ｓｅｌｅｃｔ［ｉ］を出力することができる。
【０１４９】
図３０および図３１でも（ｉ−ｊ）番目ＮＡＮＤゲートの出力信号Ａｉ−ｊと（ｉ−ｋ）番目ＮＡＮＤゲートの出力信号Ａｉ＋ｋを使用すれば，発光信号ｅｍｉｔ１［ｉ］’の低レベルパルス幅を最初と最後で各々半クロックＶＣＬＫの整数倍だけ調節することができる。
【０１５０】
次に，図２８で説明したように，図３０でもＸＮＯＲゲートを使用せずに選択信号Ｓｅｌｅｃｔ［ｉ］を生成することができることについて，図３２を参照して説明する。
【０１５１】
（第１５の実施例）
図３２は，第１５の実施例にかかる走査駆動部７００ｅの概略的な図面である。図３２に示すように，図２８で説明したように，ｉ番目ＮＡＮＤゲートの出力信号Ａｉとｉ番目インバータの出力信号ＢｉがＮＡＮＤ演算されて，選択信号Ｓｅｌｅｃｔ［ｉ］として出力される。
【０１５２】
そして，第９〜第１５の実施例にかかる走査駆動部７００も，図１３で説明した有機発光表示装置に適用することができる。また，図３３は，第１６の実施例にかかる有機発光表示装置の概略的な平面図である。
【０１５３】
（第１６の実施例）
図３３に示すように，図１３で説明したように，奇数番目行では発光走査線Ｅ１ｉが大画素領域１１０’の左側小画素１１１’に連結され，発光走査線Ｅ２ｉが右側小画素１１２’に連結されることに反し，偶数番目行ではこれとは反対に連結される。そして，二つの発光走査線Ｅ１ｉ，Ｅ２ｉは，走査駆動部７００に連結されている。
【０１５４】
以上，第１〜第１６の実施例では，順次に出力される選択信号で一つの選択信号Ｓｅｌｅｃｔ［ｉ］が高レベルになる時点と，次の選択信号Ｓｅｌｅｃｔ［ｉ＋１］が低レベルになる時点が同一であると説明した。これとは異なり，選択信号Ｓｅｌｅｃｔ［ｉ］が高レベルになって一定の期間が経過した後に，次の選択信号Ｓｅｌｅｃｔ［ｉ＋１］が低レベルになるようにすることもできる。例えば，切断信号ＣＬＩＰを，図４ＡのＮＡＮＤゲートＮＡＮＤ１ｉに追加的に入力することができる。そして，図３４に示したように，切断信号ＣＬＩＰの周期はクロックＶＣＬＫの半周期と同一であり，切断信号ＣＬＩＰで低レベルパルスの幅は半クロックＶＣＬＫより短い。特に，切断信号ＣＬＩＰが低レベル期間は，クロックＶＣＬＫのレベル変更時点を含む。このようにして，ＮＡＮＤゲートＮＡＮＤ１ｉの出力信号である選択信号Ｓｅｌｅｃｔ［ｉ］の低レベルパルス幅は，半クロックＶＣＬＫより短くなる。つまり，選択信号Ｓｅｌｅｃｔ［ｉ］の低レベルパルスの終了時点と次の選択信号Ｓｅｌｅｃｔ［ｉ＋１］の低レベルパルスの開始時点との間に，切断信号ＣＬＩＰの低レベルパルス幅だけの間隔が生じる。
【０１５５】
そして，第１〜第１６の実施例では，走査駆動部２００，３００，４００，６００，７００から出力される選択信号および発光信号が，直接選択および発光走査線に印加されると説明したが，走査駆動部２００，３００，４００，６００，７００と表示領域１００との間にバッファーが形成されることもできる。また，場合によっては，選択信号および発光信号のレベルを変更するために，走査駆動部２００，３００，４００，６００，７００と表示領域１００との間にレベルシフタを形成することもできる。
【０１５６】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【０１５７】
本発明は，表示装置およびその駆動方法に適用可能であり，特に表示装置の走査駆動部に適用可能である。
【図面の簡単な説明】
【０１５８】
【図１】第１の実施例にかかる有機発光表示装置の概略的な平面図である。
【図２】同実施例にかかる有機発光表示装置の大画素の概略的な回路図である。
【図３】同実施例にかかる有機発光表示装置の信号タイミング図である。
【図４Ａ】同実施例にかかる有機発光表示装置の選択走査駆動部を示す図面である。
【図４Ｂ】図４Ａの選択走査駆動部に使用されるフリップフロップの概略的な図面である。
【図５】図４Ａの選択走査駆動部の信号タイミング図である。
【図６】第１の実施例にかかる有機発光表示装置の発光走査駆動部を示す図面である。
【図７】第２の実施例にかかる有機発光表示装置の大画素の概略的な回路図である。
【図８】同実施例にかかる有機発光表示装置の信号タイミング図である。
【図９】同実施例にかかる有機発光表示装置の発光走査駆動部を示す図面である。
【図１０】図９の発光走査駆動部の信号タイミング図である。
【図１１】第３の実施例にかかる有機発光表示装置の発光走査駆動部を示す図面である。
【図１２】図１１の発光走査駆動部の信号タイミング図である。
【図１３】第４の実施例にかかる有機発光表示装置の概略的な平面図である。
【図１４】第５の実施例にかかる有機発光表示装置の概略的な平面図である。
【図１５】同実施例にかかる有機発光表示装置の発光走査駆動部を示す図面である。
【図１６】第６の実施例にかかる有機発光表示装置の発光走査駆動部を示す図面である。
【図１７】図１６の発光走査駆動部の信号タイミング図である。
【図１８】第７の実施例にかかる有機発光表示装置の発光走査駆動部を示す図面である。
【図１９】図１８の発光走査駆動部の信号タイミング図である。
【図２０】図１８の発光走査駆動部の信号タイミング図である。
【図２１】第８の実施例にかかる有機発光表示装置の概略的な平面図である。
【図２２】第９の実施例にかかる有機発光表示装置の概略的な平面図である。
【図２３】同実施例にかかる有機発光表示装置の走査駆動部を示す図面である。
【図２４】図２３の走査駆動部の信号タイミング図である。
【図２５】第１０の実施例にかかる有機発光表示装置の走査駆動部を示す図面である。
【図２６】第１１の実施例にかかる有機発光表示装置の走査駆動部を示す図面である。
【図２７】図２６の走査駆動部の信号タイミング図である。
【図２８】第１２の実施例にかかる有機発光表示装置の走査駆動部を示す図面である。
【図２９】第１３の実施例にかかる有機発光表示装置の走査駆動部の信号タイミング図である。
【図３０】第１４の実施例にかかる有機発光表示装置の走査駆動部の概略的な図面である。
【図３１】図３０の走査駆動部の信号タイミング図である。
【図３２】第１５の実施例にかかる有機発光表示装置の走査駆動部の概略的な図面である。
【図３３】第１６の実施例にかかる有機発光表示装置の概略的な平面図である。
【図３４】第１７の実施例にかかる有機発光表示装置選択走査駆動部の信号タイミング図である。
【符号の説明】
【０１５９】
１００            表示領域
１１０，１１０’  大画素領域
１１１，１１１’，１１２，１１２’  小画素
２００            選択走査駆動部
２１１，２１２，２１３              インバータ
３００，３００ａ，３００ｂ，４００，４００ａ，４００ｂ，６００，６００ａ，６００ｂ    発光走査駆動部
５００            データ駆動部
７００            走査駆動部
Ｃｓｔ            キャパシタ
Ｄ１〜Ｄｎ        データ線
Ｅ１１〜Ｅ１ｍ，Ｅ２１〜Ｅ２ｍ      発光走査線
ＩＯＬＥＤ        電流
Ｍ１              駆動トランジスタ
Ｍ２              スイッチングトランジスタ
ＯＬＥＤ１，ＯＬＥＤ２              有機発光素子
Ｓ１〜Ｓｍ        選択走査線
ＶＣＬＫ          クロック
ＶＤＤ            電源電圧
ＶＳＧ            ソース・ゲート間電圧
ＶＳＳ            低電位電源電圧
【図１】
2005338837.tif 000004
【図２】
2005338837.tif 000005
【図３】
2005338837.tif 000006
【図４Ａ】
2005338837.tif 000007
【図４Ｂ】
2005338837.tif 000008
【図５】
2005338837.tif 000009
【図６】
2005338837.tif 000010
【図７】
2005338837.tif 000011
【図８】
2005338837.tif 000012
【図９】
2005338837.tif 000013
【図１０】
2005338837.tif 000014
【図１１】
2005338837.tif 000015
【図１２】
2005338837.tif 000016
【図１３】
2005338837.tif 000017
【図１４】
2005338837.tif 000018
【図１５】
2005338837.tif 000019
【図１６】
2005338837.tif 000020
【図１７】
2005338837.tif 000021
【図１８】
2005338837.tif 000022
【図１９】
2005338837.tif 000023
【図２０】
2005338837.tif 000024
【図２１】
2005338837.tif 000025
【図２２】
2005338837.tif 000026
【図２３】
2005338837.tif 000027
【図２４】
2005338837.tif 000028
【図２５】
2005338837.tif 000029
【図２６】
2005338837.tif 000030
【図２７】
2005338837.tif 000031
【図２８】
2005338837.tif 000032
【図２９】
2005338837.tif 000033
【図３０】
2005338837.tif 000034
【図３１】
2005338837.tif 000035
【図３２】
2005338837.tif 000036
【図３３】
2005338837.tif 000037
【図３４】
2005338837.tif 000038